(57)【特許請求の範囲】
【請求項１】
ａ）
ポリ−（Ｘ２）c−ＮＨ２
（ここで、
ポリは水溶性重合体であって、ポリ（アルキレングリコール）、ポリ（オレフィンアルコール）、ポリ（ビニルピロリドン）、ポリ（ヒドロキシアルキルメタクリルアミド）、ポリ（ヒドロキシアルキルメタクリレート）、ポリ（サッカリド）、ポリ（α−ヒドロキシ酢酸）、ポリ（アクリル酸）、ポリ（ビニルアルコール）、ポリホスファゼン、ポリオキサゾリン、ポリ（Ｎ−アクリロイルモルホリン）、およびそれらの共重合体または三元重合体から成るグループより選択され、
（ｃ）は０または１であって、
Ｘ２は、存在する場合はスペーサー部分である）
を、
以下の構造を有するマレイミド試薬
【化１】
0005600240.tif 000024
（ここで、
Ｙ１はＯまたはＳであり、
Ｙ２はＯまたはＳであり、
（ａ）は１から２０の整数であり、
Ｒ１は各例において独立して、Ｈまたはアルキル、置換アルキル、アリール、および置換アリールから成るグループから選択される有機基であり、
Ｒ２は各例において独立して、Ｈまたはアルキル、置換アルキル、アリール、および置換アリールから成るグループから選択される有機基であり、
Ｒ３は各例において独立して、Ｈまたはアルキル、置換アルキル、アリール、および置換アリールから成るグループから選択される有機基であり、そして
Ｒ４は各例において独立して、Ｈまたはアルキル、置換アルキル、アリール、および置換アリールから成るグループから選択される有機基である）
と、
以下の構造を有する置換マレアミド酸終端された水溶性重合体
【化２】
0005600240.tif 000025
（ここで、
ポリは水溶性重合体であって、ポリ（アルキレングリコール）、ポリ（オレフィンアルコール）、ポリ（ビニルピロリドン）、ポリ（ヒドロキシアルキルメタクリルアミド）、ポリ（ヒドロキシアルキルメタクリレート）、ポリ（サッカリド）、ポリ（α−ヒドロキシ酢酸）、ポリ（アクリル酸）、ポリ（ビニルアルコール）、ポリホスファゼン、ポリオキサゾリン、ポリ（Ｎ−アクリロイルモルホリン）、およびそれらの共重合体または三元重合体から成るグループより選択され、
（ｂ）は０または１であり、
Ｘ１は存在する場合、スペーサー部分であり、
Ｙ１はＯまたはＳであり、
Ｙ２はＯまたはＳであり、
（ａ）は１から２０の整数であり、
Ｒ１は各例において独立して、Ｈまたはアルキル、置換アルキル、アリール、および置換アリールから成るグループから選択される有機基であり、
Ｒ２は各例において独立して、Ｈまたはアルキル、置換アルキル、アリール、および置換アリールから成るグループから選択される有機基であり、
Ｒ３は各例において独立して、Ｈまたはアルキル、置換アルキル、アリール、および置換アリールから成るグループから選択される有機基であり、
Ｒ４は各例において独立して、Ｈまたはアルキル、置換アルキル、アリール、および置換アリールから成るグループから選択される有機基である）
を形成するよう１０，０００ｐｐｍ未満の水の実質的に非水の条件下で組み合わせるステップと、
ｂ）前記マレアミド酸終端された水溶性重合体を脱離条件にさらすことによって、結果として以下の構造を有するマレイミド終端された水溶性重合体
【化１０】
0005600240.tif 000026
（ここで、
ポリは水溶性重合体であって、ポリ（アルキレングリコール）、ポリ（オレフィンアルコール）、ポリ（ビニルピロリドン）、ポリ（ヒドロキシアルキルメタクリルアミド）、ポリ（ヒドロキシアルキルメタクリレート）、ポリ（サッカリド）、ポリ（α−ヒドロキシ酢酸）、ポリ（アクリル酸）、ポリ（ビニルアルコール）、ポリホスファゼン、ポリオキサゾリン、ポリ（Ｎ−アクリロイルモルホリン）、およびそれらの共重合体または三元重合体から成るグループより選択され、
（ｃ）は０または１であり、
Ｘ２は存在する場合、スペーサー部分であり、
Ｒ３は各例において独立して、Ｈまたはアルキル、置換アルキル、アリール、および置換アリールから成るグループから選択される有機基であり、
Ｒ４は各例において独立して、Ｈまたはアルキル、置換アルキル、アリール、および置換アリールから成るグループから選択される有機基である）
を生じるステップと、
を含む、
マレイミド終端された水溶性重合体を含む生成物を調製するための合成方法。
【請求項２】
前記マレアミド酸終端された水溶性重合体を脱離条件にさらすステップの前に、前記置換マレアミド酸終端された水溶性重合体を単離するステップをさらに含む、請求項１に記載の方法。
【請求項３】
前記マレアミド酸終端された水溶性重合体を単離するステップは、乾燥したマレアミド酸終端された水溶性重合体を調製する沈殿によって達成される、請求項２に記載の方法。
【請求項４】
沈殿は、イソプロピルアルコール、ジエチルエーテル、ＭＴＢＥ、ヘプタン、ＴＨＦ、ヘキサン、およびその混合物から成るグループより選択される過度の物質を加えることによって達成される、請求項３に記載の方法。
【請求項５】
前記乾燥したマレアミド酸終端された水溶性重合体を溶解させるステップをさらに含む、請求項３に記載の方法。
【請求項６】
有機溶剤において行われる、請求項１に記載の方法。
【請求項７】
前記有機溶剤は、ハロゲン化脂肪族炭化水素類、アルコール類、芳香族炭化水素類、ハロゲン化脂肪族炭化水素類、アルコール類、芳香族炭化水素類、ハロゲン化芳香族炭化水素類、アミド類、ニトリル類、ケトン類、酢酸塩類、エーテル類、環状エーテル類、およびその組み合わせから成るグループより選択される、請求項６に記載の方法。
【請求項８】
前記有機溶剤は、ジクロロメタン、クロロホルム、アセトニトリル、トルエン、メチルｔ−ブチルエーテル、テトラヒドロフラン、オクタノール、酢酸エチル、炭酸ジエチル、アセトン、シクロヘキサンおよびその組み合わせから成るグループより選択される、請求項６に記載の方法。
【請求項９】
前記有機溶剤はジクロロメタンまたはアセトニトリルである、請求項８に記載の方法。
【請求項１０】
マレアミド酸終端された水溶性重合体を形成するよう１０，０００ｐｐｍ未満の水の実質的に非水の条件下でポリ−（Ｘ２）c−ＮＨ２をマレイミド試薬と組み合わせるステッ
プは、塩基性触媒の存在下で行われる、請求項１に記載の方法。
【請求項１１】
前記マレアミド酸終端された水溶性重合体を脱離条件にさらすステップは、塩基の存在下の有機溶剤内である、請求項１に記載の方法。
【請求項１２】
前記塩基は、重炭酸ナトリウム、重炭酸カリウム、炭酸ナトリウム、または炭酸カリウムから成るグループより選択される、請求項１１に記載の方法。
【請求項１３】
前記マレアミド酸終端された水溶性重合体を脱離条件にさらすステップは、１０から６０℃の温度で行われる、請求項１１に記載の方法。
【請求項１４】
前記マレアミド酸終端された水溶性重合体を脱離条件にさらすステップは、非求核アミン触媒の存在下で行われる、請求項１に記載の方法。
【請求項１５】
前記非求核アミン触媒は、ジイソプロピルエチルアミン、トリエチルアミン、ｎ−メチルモルホリン、ピリジン、Ｎ，Ｎ−ジメチル−４−アミノピリジン、１，８−ジアザビシクロ［５．４．０］ウンデス−７−エン、および１，４−ジアザビシクロ［２．２．２］オクタンから成るグループより選択される、請求項１４に記載の方法。
【請求項１６】
前記マレアミド酸終端された水溶性重合体を脱離条件にさらすステップは、乾燥剤の存在下で該ステップを実施することを含む、請求項１に記載の方法。
【請求項１７】
前記乾燥剤は、ＮａＨＣＯ３、Ｎａ２ＣＯ３、ＣａＣｌ２、ＣａＳＯ４、ＭｇＳＯ４、ＫＯＨ、Ｎａ２ＳＯ４、Ｋ２ＣＯ３、ＫＨＣＯ３、分子篩、およびその組み合わせから成るグループより選択される、請求項１６に記載の方法。
【請求項１８】
前記水溶性重合体はポリ（エチレングリコール）である、請求項１に記載の方法。
【請求項１９】
前記ポリ（エチレングリコール）は、１００から１００,０００ダルトンの分子量を有する、請求項１８に記載の方法。
【請求項２０】
ポリは線状水溶性重合体である、請求項１に記載の方法。
【請求項２１】
ポリはＣＨ３Ｏ−（ＣＨ２ＣＨ２Ｏ）ｎ−ＣＨ２ＣＨ２であり、（ａ）は１であり、さらに（ｎ）は２から４０００である、請求項１に記載の方法。
【請求項２２】
ポリは分岐している、請求項１に記載の方法。
【請求項２３】
前記１０，０００ｐｐｍ未満の水の実質的に非水の条件は、１０００ｐｐｍ未満の水を有する反応媒質を表す、請求項１に記載の方法。
【請求項２４】
前記１０，０００ｐｐｍ未満の水の実質的に非水の条件は、１００ｐｐｍ未満の水を有する反応媒質を表す、請求項２３に記載の方法。
【請求項２５】
前記１０，０００ｐｐｍ未満の水の実質的に非水の条件は、６０ｐｐｍ未満の水を有する反応媒質を表す、請求項２４に記載の方法。
【請求項２６】
共役条件下で、チオール含有生理活性物質を、請求項１の方法によって調製されるマレイミド終端された水溶性重合体を含む生成物と組み合わせるステップを含む、
複合体を調製する方法。
【請求項２７】
請求項２６によって調製される複合体。
【発明の詳細な説明】
【技術分野】
【０００１】
本発明は、マレイミド官能基を有する水溶性の非ペプチド性重合体を調製する方法に関し、特にマレイミド終端されたポリ（エチレングリコール）重合体、および同じものを含む組成および化学式に関する。
【背景技術】
【０００２】
（発明の背景）
マレイミド類は、化学合成、および生物学的および薬理学的応用において広範囲におよぶ使用を見出す多用途誘導体である。マイケル受容体のように、マレイミド類はスルフヒドリル基とただちに反応して安定チオエーテル結合を形成する。この反応は、スルフヒドリル基およびアミン基両方が存在する場合に、タンパク質およびその同等物とともに広範囲にわたって使用される。およそ中性のｐＨで、マレイミド類は高選択性であり、スルフヒドリル基がアミン基よりも約１，０００倍よく反応する（非特許文献１；非特許文献２；非特許文献３）。８以上のより高いｐＨ値で、アミン基とのマレイミド類の反応は有意に競合し始める（非特許文献４）。
【０００３】
マイケル受容体として最もよく知られている一方で、マレイミド類はまた、ジエノフィル（非特許文献５；非特許文献６；非特許文献７）およびダイポーラロフィル（非特許文献８；非特許文献９；非特許文献１０）としてもその反応性に役立つ。
【０００４】
マレイミド基は、タンパク質およびその他の分子の重合体への共有結合を促進するために使用することができる。例えば、「ＰＥＧ」として短縮される親水性重合体「ポリ（エチレングリコール）」は、生物活性分子を共役させてそれらを水媒体内で水溶性にするためにしばしば使用される（Ｈａｒｒｉｓら、「ポリ（エチレングリコール）化学反応および生物学的応用」、ＡＣＳシンポジウムシリーズ、ＡＣＳ、ワシントンＤＣ、１９９７年）。ＰＥＧ−マレイミドは、生物活性分子上でのチオールまたはアミノ基との反応に適している反応性重合体の例である。
【０００５】
ＰＥＧマレイミド類を調製する方法の多くは、マレイミド基を備える小リンカー分子に活性化ＰＥＧを結合するステップを伴い、その多くは市販されている。いくつかの既知のＰＥＧマレイミド類およびその生成のための方法に関連する様々な欠点がある。例えば、ＰＥＧとマレイミド基との間にリンカー基を持たないいわゆる「無リンカー」ＰＥＧマレイミド類は、２つの方法のうち１つを使用して直接ＰＥＧアミンからしばしば調製される。特許文献１を参照のこと。しかしこれらの方法は、開放環マレアミド酸含有誘導体が下記に説明するように完成品内に存在するため、通常結果として比較的不純な生成物となる。
【０００６】
特許文献１で開示されている第一の方法では、水溶性の非ペプチド性重合体骨格は、無水マレイン酸と反応して開放環アミドカルボン酸中間体（マレアミド酸中間体）を形成する。そして中間体の環は、無水酢酸および酢酸ナトリウムまたは酢酸カリウムなどの酢酸塩の存在下で、中間体を約５０℃から約１４０℃まで約０．２から５時間加熱することによって、第二ステップにおいて閉じられる。この２ステップ過程は、下記に定められる反応スキームＩで要約される。
【０００７】
【化４】
0005600240.tif 000002
この方法によって作られた粗マレイミド終端された水溶性重合体含有組成は、相当量の開放環マレアミド酸中間体を含む場合がある。開放環マレアミド酸の出現の主な原因は、特に酸性種が生成される、または無水酢酸内の混入物質であれば、加熱ステップにある場合がある。このような条件下では、Ｃ＝Ｃ結合を異性化することが可能であり、よって不可能ではないにしても閉環することが困難になる。結果として、イオン交換クロマトグラフィーなどの不純物を取り除くことができるなんらかの方法によって、重合体生成物を精製することが望ましい。しかし、マレイミド環系は塩基性または求核性部位を有するクロマトグラフィーカラムに耐容性がないため、精製がより困難になる。この合成経路の第二の問題は、ＰＥＧアミンの使用に由来する。
【０００８】
同様に、Ｓａｋａｎｏｕｅらによる米国特許公開広報第２００３／００６５１３４Ａ１号は、そこで生成されるＰＥＧ−マレイミド類が最終ＰＥＧ酸素とマレイミド窒素との間にエチレン基よりもむしろプロピレン基を備えることを除いては、関連した方法を説明している。しかし、Ｓａｋａｎｏｕｅらに説明されている方法は、上記のような問題をかかえている。さらに参考文献は、ＰＥＧアミンが水素およびニッケル触媒を使用したニトリル基の還元によって製造され、それはアミン生成物とイミン中間体との間の反応により追加不純物の導入につながる可能性があることを教示している。
【０００９】
特許文献１（「水性Ｎ−アルコキシカルボニルマレイミド経路」）で説明されている第二の合成経路において、Ｎ−アルコキシカルボニルマレイミドは重合体アミンと反応し、マレイミド終端された水溶性重合体生成物を形成する。開環および閉環反応は上記のものと同様に発生する。前記反応は、約８．５のｐＨの水性重炭酸ナトリウム緩衝剤内でゆっくりと上昇する温度勾配で行われる。しかし、マレイミド基はそのような条件では安定せず、マレアミド酸への加水分解を受ける。したがって、マレイミド環の形成およびマレイミド環加水分解という２つの併発反応が合成中に発生する。
【００１０】
問題に対処するための１つの方法は、最大量のマレイミド終端された水溶性重合体生成物が形成される時期に反応を止めることであろう。この方法が理論上適切と思われる一方で、場合で、反応温度が変化し、そこで、連続製造バッチ中に温度勾配を再生可能な方法で達成することが困難となり得るため、それは大量生産においてはほとんど不可能な作業である。例えば、特定のマレイミド終端された水溶性重合体の連続生産バッチは、６５から８０％のマレイミド純度および約２０から３５％のマレアミド酸含有量を有することが見出された。再度、イオン交換カラムの官能基に対するマレイミド基の感受性のため、クロマトグラフィーは実行可能な選択肢ではない。さらに、たとえ再生可能な方法で温度勾配を制御して適切な時期に反応を停止することが可能であっても、前記方法は緊密なモニタリングおよび付加的機器（例えば熱電温度計、熱カバーなど）を必要とすることによって、前記方法に複雑性を加える。
【００１１】
マレイミド終端された水溶性重合体を生成するためのその他の方法は、特許文献２に説明されている。１つの方法（下記の「反応スキームＩＩ」として表示される）において、離脱基（「ＬＧ」）およびイミド塩（三環アミドのカリウム塩として示される）を備える重合体は、求核置換反応を介して反応して重合体中間体を形成し、それから逆ディールス・アルダー反応が続いてマレイミド機能性重合体およびフランを提供する。
【００１２】
【化５】
0005600240.tif 000003
上記に示される反応は比較的簡素な機能性重合体、およびいわゆる「無リンカー」マレイミド（マレイミド基が重合体に直接付属していることを意味する）を形成するよう反応するディールス・アルダー付加試薬を活用するが、前記反応は市販されていない試薬を必要とする。
【００１３】
上述の方法にもかかわらず、例えば、特定の必要性に最も適している方法が使用できるように、マレイミド終端された水溶性重合体を調製するためのさらに他の方法を提供する必要性が残る。ここで説明される新規の方法は、とりわけ、高収率であって、かなりの量の重合体不純物、特にイオン交換クロマトグラフィーなどの従来の精製法を使用して容易に取り除くことができないかなりの量の重合体不純物が存在しないマレイミド終端された重合体を提供すると考えられる。
【特許文献１】米国特許第６，６０２，４９８号明細書
【特許文献２】国際公開第０５／０５６６３６号パンフレット
【非特許文献１】Ｓｍｙｔｈら、Ｂｉｏｃｈｅｍ．Ｊ．、１９６４年、９１、５８９
【非特許文献２】Ｇｏｒｉｎら、Ａｒｃｈ．Ｂｉｏｃｈｅｍ．Ｂｉｏｐｈｙｓ．１９６６年、１１５、５９３
【非特許文献３】Ｐａｒｔｉｓら、Ｊ．Ｐｒｏｔｅｉｎ  Ｃｈｅｍ、１９８３年、２、２６３−２７７
【非特許文献４】ＢｒｅｗｅｒおよびＲｉｅｈｍ、Ａｎａｌ．Ｂｉｏｃｈｅｍ．１９６７年、１８、２４８
【非特許文献５】Ｂａｌｄｗｉｎら、Ｔｅｔｒａｈｅｄｒｏｎ  Ｌｅｔｔ．、３２、５８７７、１９９１年
【非特許文献６】ＰｈｉｌｐおよびＲｏｂｅｒｔｓｏｎ、Ｊ．Ｃｈｅｍ．Ｓｏｃ．、Ｃｈｅｍ．Ｃｏｍｍｕｎ．、１９９８年，８７９
【非特許文献７】Ｂｒａｖｏら、複素環、２０００年、５３、８１
【非特許文献８】Ｇｒｉｇｇら、Ｊ．Ｃｈｅｍ．Ｓｏｃ．、Ｐｅｒｋｉｎ  Ｔｒａｎｓ．１、１９８８年、２６９３
【非特許文献９】Ｋｏｎｏｐｉｋｏｖａら、Ｃｏｌｌｅｃｔ．Ｃｚｅｃｈ．Ｃｈｅｍ．Ｃｏｍｍｕｎ．、１９９１年、５７、１５２１
【非特許文献１０】ＰｈｉｌｐおよびＢｏｏｔｈ、Ｔｅｔｒａｈｅｄｒｏｎ  Ｌｅｔｔ．、１９９８年、３９、６９８７
【発明の開示】
【課題を解決するための手段】
【００１４】
（発明の開示）
１つ以上の実施例において、置換マレアミド酸終端された水溶性重合体を調製する方法であって、
ａ）置換マレアミド酸終端された水溶性重合体を形成するよう実質的非水条件下でアミン終端された水溶性重合体をマレイミド試薬と組み合わせるステップと、
ａ’）任意で、前記置換マレアミド酸終端された水溶性重合体を分離するステップと、を含む方法が提供される。
【００１５】
１つ以上の実施例において、マレイミド終端された水溶性重合体を調製する方法であって、
ａ）置換マレアミド酸終端された水溶性重合体を形成するよう実質的非水条件下でアミン終端された水溶性重合体をマレイミド試薬と組み合わせるステップと、
ｂ）実質的非水条件下で前記マレアミド酸終端された水溶性重合体を脱離条件にさらすことによって、結果としてマレイミド終端された水溶性重合体を生じるステップと、を含む方法が提供される。
【００１６】
本発明の１つ以上の実施例において、マレイミド終端された水溶性重合体含有組成であって、
ａ）マレアミド酸終端された水溶性重合体を形成するよう実質的非水条件下でアミン終端された水溶性重合体をマレイミド試薬と組み合わせるステップと、
ｂ）実質的非水条件下で前記マレアミド酸終端された水溶性重合体を脱離条件にさらすことによって、結果としてマレイミド終端された水溶性重合体含有組成を生じるステップと、を含む方法に起因する組成が提供される。
【００１７】
本発明の１つ以上の実施例において、複合体含有組成を調製する方法であって、チオール含有生物活性物質をここで提供されるようなマレイミド終端された水溶性重合体と組み合わせることによって、結果として複合体含有組成を生じるステップ含む方法が提供される。
【００１８】
本発明の１つ以上の実施例において、複合体含有組成であって、チオール含有生物活性物質をここで提供されるようなマレイミド終端された水溶性重合体と組み合わせる方法に起因する組成が提供される。
【００１９】
本発明の１つ以上の実施例において、化合物が提供され、前記化合物は単離形態において、次のような構造を有する。
【００２０】
【化６】
0005600240.tif 000004
ここで
ポリは水溶性重合体であり、
（ｂ）は０または１であり、
X1は存在する場合、スペーサー部分であり、
Ｙ１はＯまたはＳであり、
Ｙ２はＯまたはＳであり、
（ａ）は１から２０の整数であり、
Ｒ１は各例において単独でＨまたは有機基であり、
Ｒ２は各例において単独でＨまたは有機基であり、
Ｒ３は各例において単独でＨまたは有機基であり、
Ｒ４は各例において単独でＨまたは有機基である。
【発明を実施するための最良の形態】
【００２１】
（発明の詳細な説明）
本発明の一つ以上の実施形態を詳細に説明する前に、特定の重合体、試薬、および同様のものは変化してもよいことから、本発明はそれらに限定されるものではないことが理解されるべきである。
【００２２】
本明細書と特許請求の範囲で用いられるように、単数形の「一つの」および「前記」には、文脈がそうでないと明確に指示していない限りは、複数の指示対象が含まれることに留意しなければならない。故に、例えば「一つの重合体」への言及には、単一の重合体だけでなく、同の二つ以上または異なる重合体が含まれ、「一つの乾燥剤」は単一の乾燥剤のほかに、同の二つ以上または異なる乾燥剤、および同様のものを意味する。
【００２３】
本発明を説明し請求の範囲に記載する上で、下記に示される定義に従って以下の専門用語が使用される。
【００２４】
本書で使用される、「ＰＥＧ」、「ポリエチレングリコール」、ならびに「ポリ（エチレングリコール）」は互いに交換して使用できる。典型的には、本発明に従って使用されるＰＥＧには、以下の構造が含まれる：（ｎ）が２〜４０００の場合の「−（ＯＣＨ２ＣＨ２）ｎ−」。本書で使用されるとき、ＰＥＧは、末端酸素が置換されているかどうかに応じて、「−ＣＨ２ＣＨ２−Ｏ（ＣＨ２ＣＨ２Ｏ）ｎ−ＣＨ２ＣＨ２−」および「−（ＯＣＨ２ＣＨ２）ｎＯ−」をも含む。明細書と特許請求の範囲を通して、用語「ＰＥＧ」は、様々な末端基または「末端のキャッピング」基を持つ構造を含むことを忘れてはならない。用語「ＰＥＧ」は、−ＯＣＨ２ＣＨ２−または−ＣＨ２ＣＨ２Ｏ−繰り返しサブユニットの大部分、すなわち５０％を越えるそれらを含む重合体をも意味する。特定の形態に関しては、ＰＥＧは、下記にさらに詳細を説明するように、様々な分子量のほかに、例えば「分岐」、「直鎖」、「フォーク型」、「多官能性」などの、構造または配置をいくらでもとることができる。
【００２５】
用語「エンドキャップされた」および「末端がキャッピングされた」は、エンドキャップしている部分を持つ重合体の末端または終末部に言及するために、互いに交換して本書で使用できる。典型的には、必ずしもそうとは限らないが、エンドキャップしている部分は、ヒドロキシ基またはＣ１−２０アルコキシ基を含み、より好ましくはＣ１−１０アルコキシを含み、さらにより好ましくはＣ１−５アルコキシ基を含む。故に、エンドキャップしている部分の例には、アルコキシ（例えばメトキシ、エトキシ、およびベンジルオキシ）のほかに、アリール、ヘテロアリール、シクロ、ヘテロシクロなどが含まれる。エンドキャップしている部分は、重合体中の末端モノマーの一つ以上の原子［例えば、ＣＨ３（ＯＣＨ２ＣＨ２）ｎ−中のエンドキャップしている部分である「メトキシ」］を含んでもよいことを忘れてはならない。加えて、前述のそれぞれの飽和型、不飽和型、置換型、および非置換型が想定される。さらに、エンドキャップしている基はシランであってもよい。エンドキャップしている基はまた、検出可能な標識を有利に含んでもよい。重合体が、検出可能な標識を含むエンドキャップしている基を持つ場合、重合体および／またはその重合体が結合する部分（例えば活性物質）の量または位置を、適切な検知器を用いて決定することができる。そのような標識には、蛍光物質、化学発光物質、酵素標識に用いられる構成部分、比色分析部分（例えば色素）、金属イオン、放射性部分などが、無制限に含まれる。適切な検知器には、光度計、フィルム、分光計、および同様のものが含まれる。エンドキャップしている基はまた、リン脂質を有利に含むことができる。重合体が、リン脂質を含むエンドキャップしている基を持つ場合、重合体と結果として得られる複合体に独自の特性が与えられる。典型的なリン脂質には、ホスファチジルコリンと呼ばれるリン脂質の種類から選ばれるものが無制限に含まれる。具体的なリン脂質には、ジラウロイルホスファチジルコリン、ジオレイルホスファチジルコリン、ジパルミトイルホスファチジルコリン、ジステロイルホスファチジルコリン、ベヘノイルホスファチジルコリン、アラキドイルホスファチジルコリン、およびレシチンからなるグループから選ばれるものが無制限に含まれる。
【００２６】
重合体に関して本書で説明される「非自然発生の」は、全体として天然に認められない重合体を意味する。しかし、非自然発生の重合体は、全体的な重合体の構造が天然に認められない限りは、自然発生の一つ以上のモノマーまたはモノマーの部分を含んでもよい。
【００２７】
「水溶性高分子」で使われる用語「水溶性」は、室温で水に溶ける高分子である。典型的には、水溶性高分子は、ろ過後に同じ溶液によって伝えられる光の少なくとも約７５％、より好ましくは少なくとも約９５％を伝える。重量ベースでは、水溶性高分子は、好ましくは少なくとも約３５（重量）％が水に溶け、より好ましくは少なくとも約５０（重量）％が水に溶け、さらにより好ましくは約７０（重量）％が水に溶け、さらにより好ましくは約８５（重量）％が水に溶ける。しかし、水溶性高分子が約９５（重量）％水に溶ける、または水に完全に溶けることが最も好ましい。
【００２８】
水溶性高分子、例えばＰＥＧに関連する分子量を、数平均分子量または重量平均分子量のいずれかとして表すことができる。他に指示がない限り、本書の分子量に関する全ての言及は重量平均分子量を意味する。数平均と重量平均の両方の分子量決定を、ゲル浸透クロマトグラフィーまたはその他の液体クロマトグラフィー技術を用いて測定できる。分子量の値を測定するためのその他の方法、例えば数平均分子量を決定するための末端基分析または束一的性質（例えば凝固点降下、沸点上昇、または浸透圧）の測定の使用、または重量平均分子量を決定するための、光散乱法、超遠心分離法、または粘度測定法の使用などもまた使用できる。本発明の重合体は典型的には多分散性（すなわち、重合体の数平均分子量と重量平均分子量は等しくない）であり、好ましくは約１．２より小さく、より好ましくは約１．１５より小さく、さらにより好ましくは約１．１０より小さく、その上さらにより好ましくは約１．０５より小さく、最も好ましくは約１．０３より小さい低い多分散性の値を持つ。本書では、重量平均分子量または数平均分子量を持つ単一の水溶性高分子に対して折に触れて言及し、そのような言及は、単一の水溶性高分子が、述べられた分子量を持つ水溶性高分子の組成から得られたことを意味すると理解されるであろう。
【００２９】
特定の官能基とともに使用される場合の用語「活性の」または「活性化された」は、別の分子上で求電子試薬または求核試薬と容易に反応する反応性官能基を意味する。これは、反応するために強力な触媒または非常に実行不可能な反応条件を必要とする基（すなわち、「非反応性の」または「不活性」な基）と対照的である。
【００３０】
本書では、用語「官能基」またはその同義語は、その保護された形態とともに保護されていない形態を含むように意図されている。
【００３１】
用語「スペーサー部分」、「結合」、または「リンカー」は、相互連結する部分、例えば重合体の末端と活性物質、または活性物質の求電子試薬または求核試薬を結合するために使用される、原子または原子の一群を意味するように本書で使用される。スペーサー部分は加水分解に安定であってもよいか、または生理学的に加水分解できる連結または、酵素的に分解可能な連結を含んでもよい。
【００３２】
「アルキル」は炭化水素鎖を意味し、長さが典型的には約１〜１５個の原子の範囲にある。そのような炭化水素鎖は、好ましくは、しかし必ずしもそうではないが飽和しており、典型的には直鎖が好ましいが、分岐鎖または直鎖であってもよい。典型的なアルキル基には、メチル、エチル、プロピル、ブチル、ペンチル、１−メチルブチル、１−エチルプロピル、３−メチルペンチルなどが含まれる。本書では、「アルキル」には、シクロアルキルだけでなく、シクロアルキレン含有アルキルも含まれる。
【００３３】
「低級アルキル」は１〜６個の炭素原子を含むアルキル基を意味し、直鎖または分岐鎖でもよい。低級アルキルの限定されない例には、メチル、エチル、ｎ−ブチル、ｉ−ブチル、ｔ−ブチルが含まれる。
【００３４】
「シクロアルキル」は、架橋した、縮合した、またはスピロ環の化合物を含む飽和または不飽和の環状炭素水素鎖を意味し、好ましくは３〜約１２個の炭素原子、より好ましくは３〜約８個の炭素原子で構成される。「シクロアルキレン」は、環系中のいずれか二つの炭素で鎖が結合することによって、アルキル鎖に挿入されるシクロアルキル基を意味する。
【００３５】
「アルコキシ」は、一つの−Ｏ−Ｒ基を意味し、Ｒはアルキルまたは置換アルキル、好ましくはＣ１−６アルキル（例えば、メトキシ、エトキシ、プロピルオキシなど）である。
【００３６】
例えば「置換アルキル」に使われる用語「置換」は、一つ以上の非干渉の置換基、例えば、これに限定されない、アルキルと、シクロプロピル、シクロブチルなどのようなＣ３−８シクロアルキルと、フルオロ、クロロ、ブロモ、およびヨードなどのハロと、シアノと、アルコキシと、低級フェニルと、置換フェニルなどと置換された一つの部分（例えばアルキル基）を意味する。「置換アリール」は、一つ以上の非干渉の置換基を持つアリールである。フェニル環上での置換に関しては、置換基はどの位置（すなわち、オルト、メタ、パラ）にあってもよい。
【００３７】
「非干渉の置換基」は、分子中に存在するとき、典型的にはその分子内に含まれる他の官能基と反応しない基である。
【００３８】
「アリール」は、一つ以上の芳香環を意味し、それぞれ５または６個の中心炭素原子を持つ。アリールには、ナフチル中に見られるように縮合されてもよい、またはビフェニル中に見られるように縮合していなくてもよい、複数のアリール環が含まれる。アリール環はまた、一つ以上の環状炭素水素、ヘテロアリール、または複素環と縮合していてもしていなくてもよい。本書では、「アリール」にはヘテロアリールが含まれる。
【００３９】
ヘテロアリール」は、１〜４個のヘテロ原子、好ましくは硫黄、酸素、または窒素、あるいはそれらの組み合わせを含む一つのアリール基である。ヘテロアリール環はまた、一つ以上の環状炭素水素、複素環、アリール、またはヘテロアリール環と縮合してもよい。
【００４０】
「複素環」または「複素環の」は、不飽和または芳香族性を持つまたは持たず、炭素でない少なくとも一つの環の原子を持つ、５〜１２個の原子、好ましくは５〜７個の原子の一つ以上の環を意味する。好ましいヘテロ原子には、硫黄、酸素、窒素が含まれる。
「置換ヘテロアリール」は、一つ以上の非干渉基を置換基として持つヘテロアリールである。
【００４１】
「置換複素環」は、非干渉置換基から形成される一つ以上の側鎖を持つ複素環である。
【００４２】
本書で用いる「有機基」は、アルキル、置換アルキル、アリール、および置換アリールを含むものとする。
【００４３】
「求電子試薬」および「求電子基」は、イオン性であってもよく、一つの求電子中心、すなわち求核試薬と反応できる、電子を求める中心を持つ一つのイオンまたは原子、または原子の一群を意味する。
【００４４】
「求核試薬」および「求核基」は、イオン性であってもよく、一つの求核中心、すなわち求電子中心を求めるか、あるいは求電子試薬と反応できる中心を持つ一つのイオンまたは原子、または原子の一群を意味する。
【００４５】
「生理学的に切断できる」または「加水分解できる」結合は、生理学的条件下で、水と反応する（すなわち、加水分解される）結合である。好ましいものは、ｐＨ８、２５℃で、約３０分より短い加水分解半減期を持つ結合である。水の中で結合が加水分解する傾向は、二つの与えられた原子を結合する結合の一般型だけでなく、これらの二つの与えられた原子に結合した置換基にもよる。加水分解に不安定または弱い適切な結合には、カルボン酸エステル、リン酸エステル、無水物、アセタール、ケタール、アシルオキシアルキルエーテル、イミン、オルトエステル、ペプチド、およびオリゴヌクレオチドが含まれるがこれに限定されない。
【００４６】
「酵素的に分解可能な結合」は、一つ以上の酵素によって分解されやすい結合を意味する。
【００４７】
「加水分解に安定な」結合（ｌｉｎｋａｇｅ）または結合（ｂｏｎｄ）は、水の中で十分に安定である化学結合、典型的には共有結合、すなわち、生理学的条件下で長期間にわたって、感知されうる程度まで加水分解を起こさない化学結合を意味する。加水分解に安定な結合の例には、これに限定されないが、炭素−炭素結合（例えば脂肪族鎖中の）、エーテル、アミド、ウレタンなどが含まれる。一般的には、加水分解に安定な結合は、生理学的条件下で一日につき約１〜２％より少ない加水分解率を示すものである。代表的な化学結合の加水分解率は、大部分の標準的な化学テキストに見られる。
【００４８】
「薬剤として許容される賦形剤」は、組成物中に任意に含まれてもよく、投与に際して患者に重大な毒物学的副作用を引き起こさない賦形剤を意味する。
【００４９】
「治療上有効な量」は、所望のレベルの複合体（または対応する複合していない活性物質）を、投与後に血流中または標的組織中に提供するのに必要な、その複合体の量を意味するように本書で用いられる。正確な量は、多くの因子、例えば特定の活性物質、治療上の組成物の成分と生理学的特性、対象とする患者集団、投与方法、個々の患者の検討材料などに依存し、当業者が容易に決定できる。
【００５０】
「多官能」は、それに含まれる三つ以上の官能基を持つ重合体を意味し、官能基は同じであっても異なってもよい。多官能性重合体試薬は、典型的に多くの官能基を以下の一つ以上の範囲で含む：約３〜１００の官能基、３〜５０の官能基、３〜２５の官能基、３〜１５の官能基、３〜１０の官能基。官能基の典型的な数には、高分子骨格内に３、４、５、６、７、８、９、１０の官能基が含まれる。
【００５１】
「任意の」または「任意に」は、続いて説明される状況が起こっても起こらなくてもよいことを意味し、その説明がその状況が起こる例とそれが起こらない例を含むようにする。
【００５２】
「十分に」は（他の場所で特定の文脈に関して明確に定義されていない、または文脈が明確にそうでないと指示していない限りは）、ほぼ、あるいは完全にを意味し、例えば、以下の一つ以上を満たすことを意味する：条件の５０％を上回る、および条件の５１％以上、７５％以上、８０％以上、９０％以上、９５％以上。
【００５３】
語句「十分に非水の条件」は、１０，０００ｐｐｍ未満の水（１％未満）を持ち、より好ましくは１，０００ｐｐｍ未満の水（０．１％未満）を持ち、さらにより好ましくは１００ｐｐｍ未満の水（０．０１％未満）を持ち、さらにより好ましくは１０ｐｐｍ未満の水（０．００１％未満）を持つ、化合物または反応媒体を意味する。好ましくは、しかし必ずしもそうではないが、十分に非水な条件には、不活性雰囲気が含まれる。
【００５４】
文脈がそうでないと明確に示さない限りは、用語「約」が数値の前に置かれる場合、その数値は述べられる数値の±１０％を意味するものと理解される。
【００５５】
置換マレアミド酸終端水溶性高分子を調製するための方法
本発明の一つ以上の実施形態では、置換マレアミド酸終端水溶性高分子を調製するための方法が提供される。方法は、
ａ）置換マレアミド酸終端水溶性高分子を作るために、十分に非水な条件下で、アミン終端の水溶性高分子をマレイミド試薬と混合するステップと、
ａ’）置換マレアミド酸終端水溶性高分子を、任意に分離するステップとを含む。
【００５６】
混合する手順は、出発物質として一つのアミン終端の水溶性高分子を必要とする。本書では、「アミン終端の水溶性高分子」は、そのアミン基が実際にその水溶性高分子の末端に位置するかどうかにかかわらず、少なくとも一つのアミン基（「−ＮＨ２」）を持ついずれかの水溶性高分子である。典型的には、必ずしもというわけではないが、アミン終端の水溶性高分子はただ一つのアミン基を持つが、アミン終端の水溶性高分子は一つ以上のアミン基を持つことができる。故に、アミン終端の水溶性高分子は、（例えば）一つ、二つ、三つ、四つ、五つ、六つ、七つ、八つ、九つ、および十のうちのどれか一つの総数のアミン基を持つことができる。
【００５７】
典型的なアミン終端の水溶性高分子は以下の構造を含む：
ポリ−（Ｘ２）c−ＮＨ２ 
（化学式ＩＩ）
ここで、
ポリは水溶性高分子（好ましくは直鎖または分岐鎖、また好ましくはＣＨ３Ｏ−（ＣＨ２ＣＨ２Ｏ）ｎ−ＣＨ２ＣＨ２−であり、ポリが直鎖のとき（ｎ）は２〜４０００である）であって、
（ｃ）は０または１（好ましくは０）であって、
Ｘ２は、存在する場合はスペーサー部分である。
【００５８】
混合手順はまた、マレイミド試薬を必要とする。マレイミド試薬は、アミン終端の水溶性高分子との混合において、以下のうちの一つの形成をもたらす試薬である：マレイミド終端水溶性高分子、または置換マレアミド酸終端水溶性高分子。
【００５９】
典型的なマレイミド試薬は以下の構造を含む：
【００６０】
【化７】
0005600240.tif 000005
ここで：
Ｙ１はＯまたはＳ（好ましくはＯ）であり、
Ｙ２はＯまたはＳ（好ましくはＯ）であり、
（ａ）は１〜２０の整数（好ましくは１または２）であり、
Ｒ１は、各例において、独立してＨまたは一つの有機基（好ましくはＨであり、
Ｒ２は、各例において、独立してＨまたは一つの有機基（好ましくはＨ）であり、
Ｒ３は、各例において、独立してＨまたは一つの有機基（好ましくはＨ）であり、
Ｒ４は、各例において、独立してＨまたは一つの有機基（好ましくはＨ）である。
【００６１】
好適なマレイミド試薬は、特にアルコキシが低級アルコキシであるとき、Ｎ−アルコキシカルボニルマレイミドである。好適なＮ−アルコキシカルボニルマレイミドであるＮ−メトキシカルボニルマレイミドを下記に示す：
【００６２】
【化８】
0005600240.tif 000006
混合手順は、アミン終端の水溶性高分子をマレイミド試薬と接触させるステップを含み、当業者に既知の方法で実行することができる。例えば、アミン終端の水溶性高分子を含む化合物と、マレイミド試薬を含む化合物を反応容器中で混合することができる。しかし、混合手順は水の導入を最小限にするように行われる。
【００６３】
混合手順に続いて、置換マレアミド酸終端水溶性高分子を調製するための方法は、置換マレアミド酸終端水溶性高分子を分離する手順を任意で含む。
【００６４】
置換マレアミド酸終端水溶性高分子を分離することを（そして置換マレアミド酸終端水溶性高分子を分離する任意の手順を実施することを）目的とする場合、置換マレアミド酸終端水溶性高分子を分離するために、当技術分野で既知の手法を用いることができ、本発明はこの点において限定されない。例えば、クロマトグラフィー（例えば、シリカゲルクロマトグラフィー、ＨＰＬＣクロマトグラフィー、親和性クロマトグラフィー、イオン交換クロマトグラフィーなど）、電気泳動法、沈殿法（例えば、再結晶法を含む）、抽出法からなるグループから選択される分離手法を、置換マレアミド酸終端水溶性高分子を分離するために使用できる。好適な分離手法は、当技術分野に既知の方法（例えば、沈殿産物をもたらすために、過剰のイソプロピルアルコール、ジエチルエーテル、ＭＴＢＥ、ヘプタン、ＴＨＦ、ヘキサンなどを加えるステップ）を用いて実施できる沈殿法である。沈殿法は乾燥置換マレアミド酸−終端水溶性高分子をもたらす。乾燥置換マレアミド酸−終端水溶性高分子をもたらすためにその他の手法を用いることもできる。
【００６５】
置換マレアミド酸終端水溶性高分子は様々な形態をとることができる。好適な形態は、以下の構造を含む置換マレアミド酸終端水溶性高分子である：
【００６６】
【化９】
0005600240.tif 000007
ここで：
ポリは水溶性高分子であり、
（ｂ）は０または１であり、
Ｘ１は、存在するとき、スペーサー部分であり、
Ｙ１はＯまたはＳであり、
Ｙ２はＯまたはＳであり、
（ａ）は１〜２０の整数であり、
Ｒ１は、各例において、独立してＨまたは一つの有機基であり、
Ｒ２は、各例において、独立してＨまたは一つの有機基であり、
Ｒ３は、各例において、独立してＨまたは一つの有機基であり、
Ｒ４は、各例において、独立してＨまたは一つの有機基である。
【００６７】
置換マレアミド酸終端水溶性高分子が単離された形態、つまり、化合物中の全ての重合体の種類の少なくとも約７０％（より好ましくは少なくとも８０％、また最も好ましくは少なくとも９０％）が、置換マレアミド酸終端水溶性高分子の形態である（そしてアミン終端水溶性形態またはマレイミド終端水溶性高分子の形態でない）、化合物でもたらされるのが好ましい。
【００６８】
単離された置換マレアミド酸終端水溶性高分子を用いる前に、マレアミド酸終端水溶性高分子を非水系中に再び発生させるために、単離された（そして典型的には乾燥した）置換マレアミド酸終端水溶性高分子を再溶解させる追加手順を行うのが典型的である。
【００６９】
マレイミド終端水溶性高分子を調製するために用いられる方法のステップは、典型的には有機溶媒中で行われる。どのような有機溶媒を用いてもよく、本発明はこの点において限定されないが、典型的な有機溶媒には、ハロゲン化脂肪族炭化水素、アルコール、芳香族炭化水素、アルコール、ハロゲン化芳香族炭化水素、アミド（ＤＭＦを含む）、ニトリル（アセトニトリルを含む）、ケトン（アセトンを含む）、酢酸塩（酢酸エチルを含む）、エーテル、環状エーテル、およびそれらの組み合わせからなるグループから選択される溶媒が含まれる。好適な有機溶媒の例には、塩化メチレン（すなわちジクロロメタン）、クロロホルム、オクタノール、トルエン、メチルｔ−ブチルエーテル、ＴＨＦ（テトラヒドロフラン）、酢酸エチル、炭酸ジエチル、アセトン、アセトニトリル、ＤＭＦ（ジメチルホルムアミド）、ＤＭＳＯ、ジメチルアセトアミド、Ｎ−シクロヘキシルピロリジノン、シクロヘキサン、およびそれらの組み合わせからなるグループから選ばれるものが含まれる。
【００７０】
マレイミド終端水溶性高分子の形成において有用である、中間体をもたらすことから（本書で後述する）、とりわけ置換マレアミド酸終端水溶性高分子を調製するための方法は有用である。方法を実施することによって、アミン終端水溶性高分子から、より多く再現性のある収量の置換マレアミド酸終端水溶性高分子ををもたらし、これにより、より純粋なマレイミド終端高分子化合物と、それから形成される対応する共役化合物をもたらすことができる、より純粋な中間体をもたらすことが可能である。さらに、方法は、化合物中のマレアミド酸に基づく不純物がより少ない化合物を提供する。
【００７１】
マレイミド終端水溶性高分子を調製するための方法
本発明の一つ以上の実施形態では、マレイミド終端水溶性高分子を調製するための方法が提供され、この方法は、
ａ）置換マレアミド酸終端水溶性高分子を形成するために、十分に非水な条件下で、アミン終端水溶性高分子をマレイミド試薬と混合するステップと、
ｂ）十分に非水な条件下で、マレアミド酸終端水溶性高分子を脱離条件にさらして、これによりマレイミド終端水溶性高分子をもたらすステップとを含む。
【００７２】
置換マレアミド酸終端水溶性高分子を形成するために、十分に非水な条件下で、アミン終端水溶性高分子をマレイミド試薬と混合する手順を、置換マレアミド酸終端水溶性高分子を調製するための方法に関して上記で説明したように実施できる。
【００７３】
ひとたび混合手順が実施された後は、マレイミド終端水溶性高分子を調製するためのこの方法はまた、置換マレアミド酸終端水溶性高分子を単離して再溶解する任意のステップを含む。これらの任意のステップのそれぞれ（任意の単離手順と任意の再溶解手順）を、置換マレアミド酸終端水溶性高分子を調製するための方法に関して上記で説明したように実施できる。
【００７４】
マレイミド終端水溶性高分子を調製するためのこの方法のステップは、マレアミド酸終端水溶性高分子を熱するステップを含む、マレアミド酸終端水溶性高分子を脱離条件にさらす手順を含む。当技術分野で既知のどのような除去条件を用いてもよく、本発明はこの点において限定されない。例えば、適切な脱離条件は、少なくとも約３５℃、より好ましくは  少なくとも約４０℃より高い温度で、酸終端水溶性高分子を還流するステップを含む。
【００７５】
脱離条件への曝露はまた、例えばマレアミド酸終端水溶性高分子を乾燥剤（例えばＮａＨＣＯ３、Ｎａ２ＣＯ３、ＣａＣｌ２、ＣａＳＯ４、ＭｇＳＯ４、ＫＯＨ、Ｎａ２ＳＯ４、Ｋ２ＣＯ３、ＫＨＣＯ３  、およびこれらの組み合わせを添加する）、分子篩（例えば、ケイ酸アルミニウム）、共沸蒸留、および上記の組み合わせに曝露することによって、反応媒体から水を除去するステップを含む。
【００７６】
方法の反応速度を高めるために触媒を用いることもできる。この点では、触媒、例えば非求核性アミン触媒または塩基性触媒の存在下で、マレイミド終端水溶性高分子を調製するためのこの方法を実施するのが好ましい。非求核性アミン触媒に関しては、立体障害の非求核性アミン触媒が好ましい。非求核性アミン触媒の例には、ＤＭＡＰ（Ｎ，Ｎ−ジメチル−４−アミノピリジン）、ＤＢＵ（１，８−ジアゾビシクロ［５．４．０］ウンデス−７−エン）、ＤＡＢＣＯ（１，４−ジアゾビシクロ［２．２．２］オクタン）、ジイソプロピルエチルアミン、トリエチルアミン、ｎ−メチルモルホリンからなるグループから選択されるものが含まれる。立体障害の非求核性アミン触媒の例にはＤＭＡＰ（Ｎ，Ｎ−ジメチル−４−アミノピリジン）、ＤＢＵ（１，８−ジアゾビシクロ［５．４．０］ウンデス−７−エン）、ＤＡＢＣＯ（１，４−ジアゾビシクロ［２．２．２］オクタン）、ジイソプロピルエチルアミンが含まれる。塩基性触媒の例には、炭酸ナトリウム、重炭酸ナトリウム、炭酸カリウム、重炭酸カリウムが含まれる。
【００７７】
マレイミド終端水溶性高分子を調製するために用いられる方法のステップは、典型的には有機溶媒中で実施される。どのような有機溶媒を用いてもよく、本発明はこの点において限定されないが、典型的な有機溶媒には、ハロゲン化脂肪族炭化水素、アルコール、芳香族炭化水素、アルコール、ハロゲン化芳香族炭化水素、アミド（ＤＭＦを含む）、ニトリル（アセトニトリルを含む）、ケトン（アセトンを含む）、酢酸塩（酢酸エチルを含む）、エーテル、環状エーテル、およびそれらの組み合わせからなるグループから選択される溶媒が含まれる。好適な有機溶媒の例には、塩化メチレン（すなわちジクロロメタン）、クロロホルム、オクタノール、トルエン、メチル  ｔ−ブチルエーテル、ＴＨＦ、酢酸エチル、炭酸ジエチル、アセトン、アセトニトリル、ＤＭＦ、ＤＭＳＯ、ジメチルアセトアミド、Ｎ−シクロヘキシルピロリジノン、シクロヘキサン、およびそれらの組み合わせからなるグループから選ばれるものが含まれる。
【００７８】
マレイミド終端水溶性高分子は様々な構造を持つことができ、それから生成される置換マレアミド酸終端水溶性高分子の構造に依存する。本方法に従って調製される、典型的なマレイミド終端水溶性高分子は以下の構造である：
【００７９】
【化１０】
0005600240.tif 000008
ここでポリ、Ｘ２、および（ｃ）のそれぞれは化学式ＩＩに示されるように定められ、Ｒ３とＲ４のそれぞれは化学式ＩＩＩに示されるように定められる。
【００８０】
特に好適なマレイミド終端水溶性高分子は以下の構造を含む：
【００８１】
【化１１】
0005600240.tif 000009
ここで、（ｎ）は２〜約４０００の整数である。
【００８２】
マレイミド終端水溶性高分子含有化合物
本発明の一つ以上の実施形態では、マレイミド終端水溶性高分子含有化合物が提供され、この化合物は、
ａ）マレアミド酸終端水溶性高分子を形成するために、十分に非水な条件下で、アミン終端水溶性高分子をマレイミド試薬と混合するステップと、
ｂ）十分に非水な条件下で、マレアミド酸終端水溶性高分子を脱離条件にさらして、これによりマレイミド終端水溶性高分子含有化合物をもたらすステップとを含む方法からもたらされる。
【００８３】
故に、本発明の範囲に含まれるのは、提供される方法に従って形成される、マレイミド終端水溶性高分子の化合物である。方法によって生じる化合物は、これまでに知られる方法よりも高い純度を持つと考えられる。具体的には、マレイミド終端水溶性高分子含有化合物は、比較的低い割合のマレアミド酸終端水溶性高分子を含有する（例えば、典型的には４％より少なく、２％より少ないことが多い）。加えて、マレイミド終端水溶性高分子含有化合物は、十分にフランを含んでおらず、好ましくは全くフランを含まない。
【００８４】
本発明の別の実施例では、マレイミド終端水溶性高分子含有生成物が提供され、そのような生成物は、重合体種を含み、そこで、生成物中の重合体種の少なくとも７０％がマレイミド終端、水溶性高分子重合体種を含み、さらに、生成物は開放環エステル重合体種を含む。開放環エステル重合体種は、以下の構造を持ち、
【００８５】
【化１２】
0005600240.tif 000010
ここで、ポリ、Ｘ１、（ａ）、（ｂ）、Ｒ１、Ｒ２、Ｒ３、Ｒ４、Ｙ１、Ｙ２のそれぞれは、化学式Ｉに関して定められたものの通りである。この「開放環エステル」は、マレイミド終端水溶性高分子を調製するための、水性Ｎ−アルコキシカルボニルマレイミド経路に関連して認められることはない。
【００８６】
複合体含有化合物を調製するための方法
本発明の一つ以上の実施形態では、複合体含有化合物を調製する方法が提供され、この方法は、チオール含有生理活性物質（例えばシステイン含有タンパク質またはポリペプチド）をマレイミド終端水溶性高分子化合物と本書に示すように混合し（反応容器中で）、これにより複合体含有化合物をもたらすステップを含む。マレイミド終端水溶性高分子をチオール含有生理活性物質混合するための方法は述べたが、典型的な方法は、マレイミド終端水溶性高分子を脱イオン水に溶解して１０％試薬溶液を作るステップと、チオール含有生理活性物質と混合するステップと（チオール含有生理活性物質に対して、５倍から２０倍のモル濃度の過剰な重合体で）、よく攪拌するステップとを含む。室温で約１時間反応させた後、十分な反応時間を確保するために、反応バイアルを約１２時間冷却し攪拌してもよい。反応のｐＨ約７で行ってよい。
【００８７】
故に、本発明の範囲に含まれるのは、本発明の発明されるマレイミド終端水溶性高分子化合物を用いて複合体含有化合物を調製するための方法である。チオール含有活性物質は、タンパク質内のジスルフィド結合に関与していない、システイン残基を含有するタンパク質であってもよい。
【００８８】
複合体含有化合物
本発明の一つ以上の実施形態では、複合体含有化合物が提供され、この化合物は、本書に示すように、チオール含有活性物質をマレイミド終端水溶性高分子含有化合物と混合するステップを含む方法によってもたらされる。
【００８９】
故に、本発明の範囲に含まれるのは、複合体含有化合物を調製するための、示された方法に従って形成される複合体含有化合物である。この方法によってもたらされる化合物は、これまでに知られている方法よりも高い純度を持つと考えられる。それらを作成するために使用されるマレイミド終端水溶性高分子化合物のような複合体含有化合物は、比較的低い割合のマレアミド酸終端水溶性高分子を含有する（例えば、典型的には４％より少なく、２％より少ないことが多い）。加えて、複合体含有化合物は、十分にフランを含んでおらず、好ましくは全くフランを含まない。
【００９０】
水溶性高分子（「ポリ」）
本書では、用語「水溶性高分子」は、生体適合性があり、非免疫原性の水溶性高分子を含み、具体的には生体適合性がなく、非免疫原性でない水溶性高分子セグメントは含まない。生体適合性に関しては、生体組織に関連して（例えば患者への投与）、物質単独での使用、または別の物質（例えば活性物質）と併用しての使用に関連する、有効な効果が有害効果を上回ると、臨床医療担当者、例えば医師によって評価された場合、物質は生体適合性があると考えられる。非免疫原性に関しては、もしも、生体内での物質の使用目的が望ましくない免疫応答（例えば、抗体の産生）を引き起こさないか、もし免疫応答が引き起こされた場合、、そのような応答は臨床的な意義を持ったり、重要であると見なされないと臨床医によって評価された場合、物質は非免疫原性であると考えられる。本書で説明される水溶性高分子セグメントおよび複合体が生体適合性があり、非免疫原性であることが特に好ましい。
【００９１】
高分子に関して言及する場合、前述の高分子は、多くの水溶性および非ペプチド性高分子、例えば本発明での使用に適しているものとして本書で説明されるもののうちいずれであってもよいことを理解すべきである。好適には、ポリ（エチレングリコール）（すなわちＰＥＧ）は前述の高分子である。用語ＰＥＧは、直鎖形状、分岐または多分岐形状（例えば、フォーク型ＰＥＧまたはポリオールの中心に結合したＰＥＧ）、ペンダントＰＥＧ、またはその内部に分解可能な結合を持つＰＥＧを含む、多くの配列または形態のポリ（エチレングリコール）を含み、これについては下記にさらに十分に説明する。
【００９２】
高分子が持つ官能基の数と、官能基の位置は様々であってもよい。典型的には、重合体は１〜約２５の官能基、好ましくは１、２、３、４、５、６、７、８、９、または１０の官能基を含む。直鎖の重合体、例えばＰＥＧ重合体は典型的には、重合体の鎖の末端に位置する一つまたは二つの官能基を含む。もしＰＥＧ重合体が単官能基である場合（すなわち、直鎖ｍＰＥＧ）、この重合体は単一の官能基を持つ。もしＰＥＧ重合体が二官能性である場合、重合体は二つの独立して選択される官能基を、重合体の鎖のそれぞれの末端に一つずつ持っても良い。理解されるであろうが、多分岐または分岐した重合体は、より多くのの官能基を含んでもよい。
【００９３】
多分岐または分岐したＰＥＧ分子、例えば米国特許Ｎｏ．５，９３２，４６２で説明されるものも、ＰＥＧ重合体として用いてもよい。一般的に言えば、多分岐または分岐した重合体は、中心の分岐点から伸びる、二つ以上の重合体の「腕」を持つ。例えば、典型的な分岐ＰＥＧ重合体は以下の構造を持つ：
【００９４】
【化１３】
0005600240.tif 000011
ここでＰＥＧ１とＰＥＧ２は、本書で説明される形態と配列を持ち、同じか異なってもよいＰＥＧ重合体であり、Ｌ’は加水分解に安定な結合である。典型的な分岐ＰＥＧは以下の構造を持つ：
【００９５】
【化１４】
0005600240.tif 000012
ここで、ｐｏｌｙａとｐｏｌｙｂはＰＥＧ骨格、例えばメトキシポリ（エチレングリコール）であり、Ｒ”は非反応性部分、例えばＨ、メチル、またはＰＥＧ骨格であり、ＰとＱは非反応性結合である。好適な実施例では、分岐ＰＥＧ重合体はメトキシポリ（エチレングリコール）二基置換リジンである。
【００９６】
下記に示すように、分岐ＰＥＧの構造は第三のオリゴマーまたは重合体の鎖に結合することができる：
【００９７】
【化１５】
0005600240.tif 000013
ここでＰＥＧ３は第三のＰＥＧオリゴマーまたは重合体の鎖であり、ＰＥＧ１およびＰＥＧ２と同じか異なってもよい。
【００９８】
ＰＥＧ重合体は代替的には、フォーク型ＰＥＧを含むことができる。一般的にいえば、フォーク型構造を持つ重合体は、その重合体中の加水分解に安定な分岐点から伸びる共有結合を介して、二つ以上の官能基に結合している重合体の鎖を持つものとして特徴付けられる。フォーク型ＰＥＧの例は、ＰＥＧ−ＹＣＨＺ２に表され、ここで生理活性物質に対する共有結合のための、Ｙは連結基で、Ｚは活性化された末端基である。定められた長さの原子の鎖で、Ｚ基はＣＨに結合する。米国特許Ｎｏ．６，３６２，２５４は、本発明で使用できる様々なフォーク型ＰＥＧ構造を開示する。Ｚ官能基（例えば、ヒドロキシル基）を分岐炭素原子に結合させる原子の鎖は、テザー基として機能し、例えば、アルキル鎖、エーテル結合、エステル結合、アミド結合、またはそれらの組み合わせを含んでもよい。
【００９９】
ＰＥＧ重合体は、ＰＥＧ鎖の末端よりむしろ、ＰＥＧ骨格の長さに沿って共有結合している反応基（例えばヒドロキシル基）を持つペンダントＰＥＧ分子を含んでもよい。ペンダント反応基は、ＰＥＧ骨格に直接、または連結部分、例えばアルキレン基を介して結合することができる。
【０１００】
上述のＰＥＧの形態に加えて、重合体骨格中の、一つ以上の加水分解に安定な、または分解可能な結合を用いて、重合体を調製することができ、これには上述の重合体が含まれる。例えば、加水分解しやすい、重合体骨格のエステル結合を用いてＰＥＧを調製できる。下記に示すように、この加水分解はより小さい分子量の断片をもたらす、重合体の切断をもたらす：
【０１０１】
【化１６】
0005600240.tif 000014
重合体骨格内の分解可能な結合として有用な、その他の加水分解に分解可能な結合には、カーボネート結合と、例えば、アミンとアルデヒドの反応によってもたらされるイミン結合（例えば、Ｏｕｃｈｉら、Ｐｏｌｙｍｅｒ  Ｐｒｅｐｒｉｎｔｓ、３８（１）：５８２〜３（１９９７）を参照）と、例えば、アルコールをリン酸エステル基と反応させることによって形成されるリン酸エステルエステル結合と、ヒドラジドとアルデヒドの反応によって典型的に形成されるヒドラゾン結合と、アルデヒドとアルコールの間の反応によって典型的に形成されるアセタール結合と、例えば、酸誘導体とアルコールの間の反応によって形成されるオルトエステル結合と、例えば、重合体の末端にある、例えば、ホスホロアミダイト基と、オリゴヌクレオチドの５’ヒドロキシル基によって形成されるオリゴヌクレオチド結合とが含まれる。多くの上述の分解可能な結合の使用は、アミン基との不安定な結合の多くが求核反応性を持つためあまり好ましくない。
【０１０２】
用語ポリ（エチレングリコール）またはＰＥＧは、上述の形態のＰＥＧの全てを代表しこれを含むことを、当業者は理解する。
【０１０３】
他の非ペプチド性および水溶性高分子の鎖を含む様々な他の重合体も、本発明で使用できる。重合体は直鎖であってもよく、または上述の形態（例えば、分岐、フォーク型など）のどれをとってもよい。適切な重合体の例には、その他のポリ（アルキレングリコール）、エチレングリコールとプロピレングリコールの共重合体、ポリ（オレフィンアルコール）、ポリ（ビニルピロリドン）、ポリ（ヒドロキシアルキルメタクリルアミド）、ポリ（ヒドロキシアルキルメタクリレート）、ポリ（サッカリド）、ポリ（α−ヒドロキシ酢酸）、ポリ（アクリル酸）、ポリ（ビニルアルコール）、ポリホスファゼン、ポリオキサゾリン、ポリ（Ｎ−アクリロイルモルホリン）、例えば米国特許Ｎｏ．５，６２９，３８４で説明されるもの、ならびにそれらの共重合体、三元重合体、および混合物が含まれるが、これに限定されない。
【０１０４】
所望の用途、重合体構造の形態、分岐の程度などによって前記水溶性重合体の分子量は変化し得るが、分子量は、１００ダルトンを超える値、２００ダルトンを超える値、４００ダルトンを超える値、５００ダルトンを超える値、７５０ダルトンを超える値、９００ダルトンを超える値、１，０００ダルトンを超える値、１，４００ダルトンを超える値、１，５００ダルトンを超える値、１，９００ダルトンを超える値、２，０００ダルトンを超える値、２，２００ダルトンを超える値、２，５００ダルトンを超える値、３，０００ダルトンを超える値、４，０００ダルトンを超える値、４，９００ダルトンを超える値、５，０００ダルトンを超える値、６，０００ダルトンを超える値、７，０００ダルトンを超える値、７，５００ダルトンを超える値、９，０００ダルトンを超える値、１０，０００ダルトンを超える値、１１，０００ダルトンを超える値、１４，０００ダルトンを超える値、１５，０００ダルトンを超える値、１６，０００ダルトンを超える値、１９，０００ダルトンを超える値、２０，０００ダルトンを超える値、２１，０００ダルトンを超える値、２２，０００ダルトンを超える値、２５，０００ダルトンを超える値、および３０，０００ダルトンを超える値のうちの１つ以上を満たす。ここで有用なあらゆる所定の水溶性重合体セグメントに対する分子量の最大限度は約３００，０００ダルトン未満であることが理解される。
【０１０５】
前記重合体の分子量は典型的に、約１００ダルトンから約１００，０００ダルトン、約２００ダルトンから約６０，０００ダルトン、約３００ダルトンから約４０，０００ダルトンという範囲のうちの少なくとも１つに該当する。
【０１０６】
前記水溶性重合体に対する典型的な分子量は、約１００ダルトン、約２００ダルトン、約３００ダルトン、約３５０ダルトン、約４００ダルトン、約５００ダルトン、約５５０ダルトン、約６００ダルトン、約７００ダルトン、約７５０ダルトン、約８００ダルトン、約９００ダルトン、約１，０００ダルトン、約２，０００ダルトン、約２，２００ダルトン、約２，５００ダルトン、約３，０００ダルトン、約４，０００ダルトン、約４，４００ダルトン、約５，０００ダルトン、約６，０００ダルトン、約７，０００ダルトン、約７，５００ダルトン、約８，０００ダルトン、約９，０００ダルトン、約１０，０００ダルトン、約１１，０００ダルトン、約１２，０００ダルトン、約１３，０００ダルトン、約１４，０００ダルトン、約１５，０００ダルトン、約２０，０００ダルトン、約２２，５００ダルトン、約２５，０００ダルトン、約３０，０００ダルトン、約３５，０００ダルトン、約４０，０００ダルトン、約５０，０００ダルトン、約６０，０００ダルトン、および約７５，０００ダルトンを含む。
【０１０７】
前記重合体の分岐した種類について、前記重合体の総分子量に対する適切なサイズの典型的な範囲は、（２つの水溶性重合体部分の総合重量に実質的に基づくと）約２００ダルトンから約１００，０００ダルトン、約１，０００ダルトンから約８０，０００ダルトン、約２，０００ダルトンから約５０，０００ダルトン、約４，０００ダルトンから約２５，０００ダルトン、および約１０，０００ダルトンから約４０，０００ダルトンを含む。さらにとりわけ、本発明の前記重合体の分岐した種類の総重量平均分子量は、４００、１，０００、１，５００、２，０００、３，０００、４，０００、１０，０００、１５，０００、２０，０００、３０，０００、４０，０００、５０，０００、６０，０００または８０，０００のうちの１つに相当する。
【０１０８】
「−（ＣＨ２ＣＨ２Ｏ）ｎ−」または「−（ＯＣＨ２ＣＨ２）ｎ」などの反復型エチレン酸化物単量体を備える構造を提供することができるＰＥＧについて、（ｎ）に対する好ましい値は、約３から約３，０００、約１０から約３，０００、約１５から約３，０００、約２０から約３，０００、約２５から約３，０００、約３０から約３，０００、約４０から約３，０００、約５０から約３，０００、約５５から約３，０００、約７５から約３，０００、約１００から約３，０００、および約２２５から約３，０００を含む。
【０１０９】
スペーサー部分（「Ｘ１」、「Ｘ２」など）
任意で、スペーサー部分は前記水溶性重合体をマレイミドと結び付け、および／またはマレイミジル部分からチオール含有活性物質の残留物に結び付けることができる。典型的なスペーサー部分は、−Ｏ−、−Ｓ−、−Ｃ（Ｏ）−、−Ｏ−Ｃ（Ｏ）−、−Ｃ（Ｏ）−Ｏ−、−Ｃ（Ｏ）−ＮＨ−、−ＮＨ−Ｃ（Ｏ）−ＮＨ−、−Ｏ−Ｃ（Ｏ）−ＮＨ−、−Ｃ（Ｓ）−、−ＣＨ２−、−ＣＨ２−ＣＨ２−、−ＣＨ２−ＣＨ２−ＣＨ２−、−ＣＨ２−ＣＨ２−ＣＨ２−ＣＨ２−、−Ｏ−ＣＨ２−、−ＣＨ２−Ｏ−、−Ｏ−ＣＨ２−ＣＨ２−、−ＣＨ２−Ｏ−ＣＨ２−、−ＣＨ２−ＣＨ２−Ｏ−、−Ｏ−ＣＨ２−ＣＨ２−ＣＨ２−、−ＣＨ２−Ｏ−ＣＨ２−ＣＨ２−、−ＣＨ２−ＣＨ２−Ｏ−ＣＨ２−、−ＣＨ２−ＣＨ２−ＣＨ２−Ｏ−、−Ｏ−ＣＨ２−ＣＨ２−ＣＨ２−ＣＨ２−、−ＣＨ２−Ｏ−ＣＨ２−ＣＨ２−ＣＨ２−、−ＣＨ２−ＣＨ２−Ｏ−ＣＨ２−ＣＨ２−、−ＣＨ２−ＣＨ２−ＣＨ２−Ｏ−ＣＨ２−、−ＣＨ２−ＣＨ２−ＣＨ２−ＣＨ２−Ｏ−、−Ｃ（Ｏ）−ＮＨ−ＣＨ２−、−Ｃ（Ｏ）−ＮＨ−ＣＨ２−ＣＨ２−、−ＣＨ２−Ｃ（Ｏ）−ＮＨ−ＣＨ２−、−ＣＨ２−ＣＨ２−Ｃ（Ｏ）−ＮＨ−、−Ｃ（Ｏ）−ＮＨ−ＣＨ２−ＣＨ２−ＣＨ２−、−ＣＨ２−Ｃ（Ｏ）−ＮＨ−ＣＨ２−ＣＨ２−、−ＣＨ２−ＣＨ２−Ｃ（Ｏ）−ＮＨ−ＣＨ２−、−ＣＨ２−ＣＨ２−ＣＨ２−Ｃ（Ｏ）−ＮＨ−、−Ｃ（Ｏ）−ＮＨ−ＣＨ２−ＣＨ２−ＣＨ２−ＣＨ２−、−ＣＨ２−Ｃ（Ｏ）−ＮＨ−ＣＨ２−ＣＨ２−ＣＨ２−、−ＣＨ２−ＣＨ２−Ｃ（Ｏ）−ＮＨ−ＣＨ２−ＣＨ２−、−ＣＨ２−ＣＨ２−ＣＨ２−Ｃ（Ｏ）−ＮＨ−ＣＨ２−、−ＣＨ２−ＣＨ２−ＣＨ２−Ｃ（Ｏ）−ＮＨ−ＣＨ２−ＣＨ２−、−ＣＨ２−ＣＨ２−ＣＨ２−ＣＨ２−Ｃ（Ｏ）−ＮＨ−、−Ｃ（Ｏ）−Ｏ−ＣＨ２−、−ＣＨ２−Ｃ（Ｏ）−Ｏ−ＣＨ２−、−ＣＨ２−ＣＨ２−Ｃ（Ｏ）−Ｏ−ＣＨ２−、−Ｃ（Ｏ）−Ｏ−ＣＨ２−ＣＨ２−、−ＮＨ−Ｃ（Ｏ）−ＣＨ２−、−ＣＨ２−ＮＨ−Ｃ（Ｏ）−ＣＨ２−、−ＣＨ２−ＣＨ２−ＮＨ−Ｃ（Ｏ）−ＣＨ２−、−ＮＨ−Ｃ（Ｏ）−ＣＨ２−ＣＨ２−、−ＣＨ２−ＮＨ−Ｃ（Ｏ）−ＣＨ２−ＣＨ２−、−ＣＨ２−ＣＨ２−ＮＨ−Ｃ（Ｏ）−ＣＨ２−ＣＨ２−、−Ｃ（Ｏ）−ＮＨ−ＣＨ２−、−Ｃ（Ｏ）−ＮＨ−ＣＨ２−ＣＨ２−、−Ｏ−Ｃ（Ｏ）−ＮＨ−ＣＨ２−、−Ｏ−Ｃ（Ｏ）−ＮＨ−ＣＨ２−ＣＨ２−、−Ｏ−Ｃ（Ｏ）−ＮＨ−ＣＨ２−ＣＨ２−ＣＨ２−、−ＮＨ−ＣＨ２−、−ＮＨ−ＣＨ２−ＣＨ２−、−ＣＨ２−ＮＨ−ＣＨ２−、−ＣＨ２−ＣＨ２−ＮＨ−ＣＨ２−、−Ｃ（Ｏ）−ＣＨ２−、−Ｃ（Ｏ）−ＣＨ２−ＣＨ２−、−ＣＨ２−Ｃ（Ｏ）−ＣＨ２−、−ＣＨ２−ＣＨ２−Ｃ（Ｏ）−ＣＨ２−、−ＣＨ２−ＣＨ２−Ｃ（Ｏ）−ＣＨ２−ＣＨ２−、−ＣＨ２−ＣＨ２−Ｃ（Ｏ）−、−ＣＨ２−ＣＨ２−ＣＨ２−Ｃ（Ｏ）−ＮＨ−ＣＨ２−ＣＨ２−ＮＨ−、−ＣＨ２−ＣＨ２−ＣＨ２−Ｃ（Ｏ）−ＮＨ−ＣＨ２−ＣＨ２−ＮＨ−Ｃ（Ｏ）−、−ＣＨ２−ＣＨ２−ＣＨ２−Ｃ（Ｏ）−ＮＨ−ＣＨ２−ＣＨ２−ＮＨ−Ｃ（Ｏ）−ＣＨ２−、−ＣＨ２−ＣＨ２−ＣＨ２−Ｃ（Ｏ）−ＮＨ−ＣＨ２−ＣＨ２−ＮＨ−Ｃ（Ｏ）−ＣＨ２−ＣＨ２−、−Ｏ−Ｃ（Ｏ）−ＮＨ−［ＣＨ２］０−６−（ＯＣＨ２ＣＨ２）０−２−、−Ｃ（Ｏ）−ＮＨ−（ＣＨ２）１−６−ＮＨ−Ｃ（Ｏ）−、−ＮＨ−Ｃ（Ｏ）−ＮＨ−（ＣＨ２）１−６−ＮＨ−Ｃ（Ｏ）−、−Ｏ−Ｃ（Ｏ）−ＣＨ２−、−Ｏ−Ｃ（Ｏ）−ＣＨ２−ＣＨ２−、−Ｏ−Ｃ（Ｏ）−ＣＨ２−ＣＨ２−ＣＨ２−、−ＣＨ２−ＣＨ２−ＣＨ２−Ｃ（Ｏ）−ＮＨ−ＣＨ２−ＣＨ２−ＮＨ−Ｃ（Ｏ）−、−ＣＨ２−ＣＨ２−ＣＨ２−Ｃ（Ｏ）−ＮＨ−ＣＨ２−ＣＨ２−ＮＨ−Ｃ（Ｏ）−ＣＨ２−、二価シクロアルキル基、−ＣＨ２−ＣＨ２−ＣＨ２−Ｃ（Ｏ）−ＮＨ−ＣＨ２−ＣＨ２−ＮＨ−Ｃ（Ｏ）−ＣＨ２−ＣＨ２−、Ｏ−Ｃ（Ｏ）−ＮＨ−［ＣＨ２］ｆ−（ＯＣＨ２ＣＨ２）ｎ−、および前述のうち２つ以上の組み合わせを含み、（ｆ）は０から６であり、（ｎ）は０から２０（好ましくは０、１、２、３、４、５、６、７、８、９または１０など０から１０、さらに好ましくは４）である。また、前述の炭素含有スペーサー部分は、それに付属する分岐アルキル基を有することができる。二価シクロアルキル（シクロアルキレンなど）基の限定されない例は、シクロプロパジイル（１，１−，シス−１１，２−、またはトランス−１，２−シクロプロピレンなど）、シクロブタジイル、シクロペンタジイル、シクロヘキサジイル、およびシクロヘプタジイルの様々な異性体などのＣ３−８シクロアルキルを含む。シクロアルキレン基は、１つ以上のアルキル基、好ましくはＣ１−Ｃ６アルキル基と置換することができる。
【０１１０】
生物活性複合体
本発明はまた、スクシンイミド環連鎖を通して反応性重合体に共有結合しているマイケル付加の能力がある求核生物活性分子を備える安定化生物活性複合体も含む。前記生物活性物質は好ましくは、チオールまたはアミノ基を有するタンパク質である。
【０１１１】
適切な生物活性物質は、例えば、睡眠薬および鎮静剤、精神賦活剤、精神安定剤、呼吸器薬、抗けいれん薬、筋肉弛緩剤、抗パーキンソン病薬（ドーパミン拮抗薬）、鎮痛剤、抗炎症薬、抗不安剤（抗不安薬）、食欲抑制剤、抗片頭痛薬、筋肉収縮剤、抗感染薬（抗生物質、抗ウイルス剤、抗真菌剤、ワクチン）、抗関節炎薬、抗マラリア薬、制吐薬、抗てんかん薬、気管支拡張薬、サイトカイン、増殖因子、抗癌剤、抗血栓剤、降圧剤、心臓脈管薬、不整脈治療剤、酸化防止剤、抗ぜんそく薬、避妊薬を含むホルモン剤、交感神経興奮剤、利尿薬、脂質調節剤、抗アンドロゲン剤、駆虫薬、抗凝血剤、新生物薬、抗新生物薬、血糖降下薬、栄養剤および栄養補助食品、成長補助食品、抗腸炎薬、ワクチン、抗体、診断用薬、および造影剤より選択することができる。
【０１１２】
本発明の前記反応性重合体との共有結合における使用に適している活性物質の例は、カルシトニン、エリスロポエチン（ＥＰＯ）、第ＶＩＩＩ因子、第ＩＸ因子、セレデース、セレザイム、シクロスポリン、顆粒球コロニー刺激因子（ＧＣＳＦ）、トロンボポエチン（ＴＰＯ）、アルファ−１プロティナーゼ阻害剤、エルカトニン、顆粒球マクロファージコロニー刺激因子（ＧＭＣＳＦ）、成長ホルモン、ヒト成長ホルモン（ＨＧＨ）、成長ホルモン放出ホルモン（ＧＨＲＨ）、ヘパリン、低分子量ヘパリン（ＬＭＷＨ）、インターフェロン・アルファ、インターフェロン・ベータ、インターフェロン・ガンマ、インターロイキン−１受容体、インターロイキン−２、インターロイキン−１受容体拮抗薬、インターロイキン−３、インターロイキン−４、インターロイキン−６、黄体形成ホルモン放出ホルモン（ＬＨＲＨ）、第ＩＸ因子インスリン、プロインスリン、インスリン類似体（米国特許第５，９２２，６７５号に説明されているようなモノアシル化インスリンなど）、アミリン、Ｃ−ペプチド、ソマトスタチン、オクトレオチドを含むソマトスタチン類似体、バソプレシン、卵胞刺激ホルモン（ＦＳＨ）、インスリン様成長因子（ＩＧＦ）、インスリントロピン、マクロファージコロニー刺激因子（Ｍ−ＣＳＦ）、神経成長因子（ＮＧＦ）、組織成長因子、ケラチノサイト成長因子（ＫＧＦ）、グリア成長因子（ＧＧＦ）、腫瘍壊死因子（ＴＮＦ）、内皮成長因子、副甲状腺ホルモン（ＰＴＨ）、グルカゴン様ペプチドサイモシンアルファ１、ＩＩｂ／ＩＩＩａ阻害剤、アルファ−１抗トリプシン、ホスホジエステラーゼ（ＰＤＥ）化合物、ＶＬＡ−４阻害剤、ビスフォスフォネート、呼吸器合胞ウイルス抗体、嚢胞性線維性膜貫通調節因子（ＣＦＴＲ）遺伝子、デオキシリボヌクレアーゼ（ディーエヌアーゼ）、殺菌性／透過性亢進タンパク質（ＢＰＩ）、抗ＣＭＶ抗体、１３−シスレチノイン酸、エリスロマイシン、オレアンドマイシン、トロレアンドマイシン、ロキシスロマイシン、クラリスロマイシン、ダベルシン、アジスロマイシン、フルリスロマイシン、ジリスロマイシン、ジョサマイシン、スピロマイシン、ミデカマイシン、ロイコマイシン、ミオカマイシン、ロキタマイシン、アンダジスロマイシン、およびスウィノリドＡなどのマクロライド類；シプロフロキサシン、オフロキサシン、レポフロキサシン、トロバフロキサシン、アラトロフロキサシン、モキシフロキシン、ノルフロキサシン、エノキサシン、グレパフロキサシン、ガチフロキサシン、ロメフロキサシン、スパルフロキサシン、テマフロキサシン、ペフロキサシン、アミフロキサシン、フレロキサシン、トスフロキサシン、プルリフロキサシン、イルロキサシン、パズフロキサシン、クリナフロキサシン、およびシタフロキサシンなどのフルオロキノロン類；ゲンタマイシン、ネチルミシン、パラメシン、トブラマイシン、アミカシン、カナマイシン、ネオマイシン、およびストレプトマイシンなどのアミノグリコシド抗生物質；バンコマイシン、テイコプラニン、ランポラニン、ミデプラニン、コリスチン、ダプトマイシン、グラミシジン、硫酸コリスチン、ポリミキシンＢ、カプレオマイシン、バシトラシン、ペネム類などのポリミキシン類；ペニシリンＧ、ペニシリンＶのようなペニシリラーゼ感受性薬、メチシリン、オキサシリン、クロキサシリン、ジクロキサシリン、フロキサシリン、ナフシリンのようなペニシリナーゼ抵抗性薬、アンピシリン、アモキシシリン、およびヘタシリンのようなグラム陰性菌活性剤、シリン、およびガラムピシリンを含むペニシリン類；カルベニシリン、チカルシリン、アゾシリン、メズロシリン、およびピペラシリンのような抗緑膿菌性ペニシリン類；セフポドキシム、セフプロジル、セフトブテン、セフチゾキシム、セフトリアキソン、セファロチン、セファピリン、セファレキシン、セフラジン、セフォキシチン、セファマンドール、セファゾリン、セファロリジン、セファクロール、セファドロキシル、セファログリシン、セフロキシム、セフォラニド、セフォタキシム、セファトリジン、セファセトリル、セフェピム、セフィキシム、セフォニシド、セフォペラゾン、セフォテタン、セフメタゾール、セフタジジム、ロラカルベフ、およびモキサラクタムのようなセファロスポリン類；アズトレオナムのようなモノバクタム類；およびイミペネム、メロペネム、イセチオ酸ペンタミジン、硫酸アルブテロール、リドカイン、硫酸メタプロテレノール、ジプロピオン酸ベクロメタゾン、酢酸トリアムシノロン、ブデソニドアセトニド、フルチカゾン、臭化イプラトロピウム、フルニソリド、クロモグリク酸ナトリウム、酒石酸エルゴタミンなどのカルバペネム類、および適用できる場合は、上記の類似体、作動薬、拮抗薬、阻害剤、および薬学的に容認できる塩の構造を含むがそれに限定されない。ペプチドおよびタンパク質に関して、本発明は、合成、天然、グリコシル化、非グリコシル化、ＰＥＧ化構造、および生物活性断片およびその類似体を包含することを目的としている。
【０１１３】
本発明はまた、医薬品賦形剤と組み合わせてここで提供されるような複合体を備える医薬品も含む。概して、前記複合体自体は、固形（沈殿物など）となり、固形または液体形態のいずれかとなり得る適切な医薬品賦形剤と組み合わせることができる。
【０１１４】
典型的な賦形剤は、制限なく、炭水化物、無機塩類、抗菌薬、酸化防止剤、界面活性剤、緩衝剤、酸、塩基、およびその組み合わせから成るグループより選択されるものを含む。
【０１１５】
糖、アルジトールなどの誘導体化糖、アルドン酸、エステル化糖、および／または糖重合体などの炭水化物が賦形剤として存在することができる。具体的な炭水化物賦形剤は、例えば、フルクトース、麦芽糖、ガラクトース、グルコース、Ｄ−マンノース、ソルボースなどの単糖類、乳糖、ショ糖、トレハロース、セロビオースなどの二糖類、ラフィノース、メレジトース、マルトデキストリン類、デキストラン、デンプンなどの多糖類、およびマンニトール、キシリトール、マルチトール、ラクチトール、キシリトール、ソルビトール（グルシトール）、ピラノシルソルビトール、ミオイノシトールなどのアルジトール類を含む。
【０１１６】
前記賦形剤はまた、クエン酸、塩化ナトリウム、塩化カリウム、硫酸ナトリウム、硝酸カリウム、リン酸一ナトリウム、リン酸二ナトリウム、およびその組み合わせなどの無機塩類および緩衝剤を含むことができる。
【０１１７】
前記製剤はまた、微生物増殖を防止または阻止するための抗菌薬を含むこともできる。本発明に適している抗菌薬の限定されない例はまた、塩化ベンザルコニウム、塩化ベンゼトニウム、ベンジルアルコール、塩化セチルピリジニウム、クロロブタノール、フェノール、フェニルエチルアルコール、硝酸フェニル水銀、チメルゾル、およびその組み合わせも含む。
【０１１８】
酸化防止剤も同様に、前記製剤中に存在することができる。酸化防止類を、酸化を防止するために使用することによって、前記複合体または前記製剤のその他の構成要素の劣化を防止する。本発明における使用に対する適切な酸化防止剤は、例えば、パルミチン酸アスコルビル、ブチル化ヒドロキシアニソール、ブチル化ヒドロキシトルエン、次亜リン酸、モノチオグリセロール、没食子酸プロピル、亜硫酸水素ナトリウム、ホルムアルデヒドスルホキシル酸ナトリウム、メタ重亜硫酸ナトリウム、およびその組み合わせを含む。
【０１１９】
界面活性剤が賦形剤として存在することができる。典型的な界面活性剤は、「ツイーン２０」および「ツイーン８０」などのポリソルベート類およびＦ６８およびＦ８８などのプルロニック類（両方ともニュージャージー州マウントオリーブのＢＡＳＦより入手可能）、ソルビタンエステル類、レシチンおよびその他のホスファチジルコリン類などのリン脂質類、ホスファチジルエタノールアミン類（しかしリポソーム構造でないことが好ましい）、脂肪酸および脂肪酸エステルなどの脂質類、コレステロールなどのステロイド類、およびＥＤＴＡ、亜鉛、およびその他のそのような適切な陽イオン類などのキレート剤を含む。
【０１２０】
酸または塩基は前記製剤における賦形剤として存在することができる。使用することができる酸の限定されない例は、塩酸、酢酸、リン酸、クエン酸、リンゴ酸、乳酸、ギ酸、トリクロロ酢酸、硝酸、過塩素酸、リン酸、硫酸、フマル酸、およびその組み合わせから成るグループより選択される酸を含む。適切な塩基の例は、制限なく、水酸化ナトリウム、酢酸ナトリウム、水酸化アンモニウム、水酸化カリウム、酢酸アンモニウム、酢酸カリウム、リン酸ナトリウム、リン酸カリウム、クエン酸ナトリウム、ギ酸ナトリウム、硫酸ナトリウム、硫酸カリウム、フマル酸カリウム、およびその組み合わせから成るグループより選択される塩基を含む。
【０１２１】
前記医薬品は、全ての種類の剤形、特に懸濁および溶液としても再構成することができる粉末など、注射に適しているものを包含する。前記組成内の前記複合体（つまりここで説明される活性物質と重合体との間に形成される複合体）の量は、因子の数によって変化するが、好ましくは、前記組成が単位用量容器（バイアルなど）内に保存される場合に治療効果のある用量となる。また、前記医薬品は注射器に収納することができる。治療効果のある用量は、どの量が臨床的に望ましい終点を引き起こすのかを決定するために、漸増量の前記複合体の反復投与によって実験的に決定することができる。
【０１２２】
前記組成中の個々の賦形剤の量は、賦形剤の活性および前記組成の特定の必要性によって変化する。典型的に、個々の賦形剤の最適量は、定期実験を通して、つまり各種量の前記賦形剤を含む組成（低から高へおよぶ）を調整し、前記組成の安定性およびその他のパラメータを検討し、そして重大な副作用なしに最適性能が達成される範囲を決定することによって、決定される。
【０１２３】
しかし、概して前記賦形剤は、約１重量％から約９９重量％の量での組成において、好ましくは約５重量％から９９重量％、より好ましくは約１５から９５重量％の賦形剤で、３０重量％未満の濃度が最も好まれて存在する。
【０１２４】
その他の賦形剤とともにこれら前述の医薬品賦形剤は、「レミントン：薬学の科学および実践」、第１９版、Ｗｉｌｌｉａｍｓ＆Ｗｉｌｌｉａｍｓ（１９９５年）、「医師の机上参考資料」、第５２版、医療経済学、ニュージャージー州モントベール（１９９８年）、およびＫｉｂｂｅ，Ａ．Ｈ．、医薬品賦形剤のハンドブック、第３版、米国薬剤師会、ワシントンＤ．Ｃ．、２０００年に説明されている。
【０１２５】
本発明の医薬品は、典型的に、必要ではないが、注射を介して投与され、よって概して、投与の直前には液体懸濁液または溶液である。前記医薬品はまた、シロップ、クリーム、軟膏、錠剤、粉末などのその他の形をとることもできる。肺、直腸、経皮、経粘膜、経口、くも膜下、皮下、動脈内などのその他の様式の投与も含まれる。
【０１２６】
前述のように、前記複合体は静脈注射によって、または好ましさは低いが筋肉または皮下注射によって、非経口的に投与することができる。非経口製剤に対する適切な剤形の種類は、とりわけ、すぐに注射できる溶液、使用前に溶剤と組み合わせるための乾燥粉末、すぐに注射できる懸濁、使用前に媒介物と組み合わせるための乾燥不溶性組成、および投与前希釈用の乳剤および原液を含む。
【０１２７】
本発明はまた、ここで提供されるような複合体を、複合体による治療に反応する症状に苦しむ患者に投与する方法も提供する。前記方法は、概して注射を介して、治療効果のある量の前記複合体（好ましくは医薬品の一部として提供される）を投与するステップを含む。前記投与方法は、特定の複合体の投与によって改善または予防することができる症状を治療するために使用することができる。当業者は、どの症状を具体的な複合体が有効に治療できるかを十分理解する。投与される実際の用量は、患者の年齢、体重および全身状態、ならびに治療されている症状の重症度、医療従事者の判断、および投与されている複合体によって変化する。治療効果のある量は当業者には周知であり、および／または関連参考資料および文献に説明されている。概して、治療効果のある量は、約０．００１ｍｇから１００ｍｇに及び、好ましくは０．０１ｍｇ／日から７５ｍｇ／日の用量、より好ましくは０．１０ｍｇ／日から５０ｍｇ／日の用量である。
【０１２８】
あらゆる所定の複合体（再度、好ましくは医薬品の一部として提供される）の単位用量は、臨床医療担当者の判断、患者の必要性などによって、様々な投与スケジュールで投与することができる。具体的な投与スケジュールは当業者であれば周知であり、または通常の方法を使用して実験的に決定することができる。典型的な投与スケジュールは、制限なく、１日５回、１日４回、１日３回、１日２回、１日１回、週３回、週２回、週１回、月２回、月１回の投与、およびその組み合わせを含む。臨床的エンドポイントが達成されると、前記組成の投与は中断される。
【０１２９】
本発明はその好ましい具体的な実施例と併せて説明されているが、前述の説明ならびにそれに続く例は、本発明の範囲を解説するが制限する目的ではないことが理解される。本発明の範囲内のその他の側面、利点、および変更は、本発明に関連する分野の当業者であれば明白であろう。具体的な用語がここで採用されているが、それらは一般的かつ説明的な意味のみで使用され、制限の目的ではない。
【実施例】
【０１３０】
（実験）
本発明の実践は、特に指示がない限り、当技術分野の範囲内である有機合成、生化学、タンパク質精製などの従来技術を採用する。そのような技術は文献中で十分説明されている。例えば、前記、Ｊ．Ｍａｒｃｈ、先進有機化学：反応機構および構造、第４版（ニューヨーク：ワイリー・インターサイエンス、１９９２年）、を参照のこと。
【０１３１】
下記の例において、使用される数（例えば、量、温度など）について精度を確実にするための努力を行ったが、いくらかの実験誤差および偏差が計上されるべきである。特に指示がない限り、温度は摂氏温度であり、圧力は海水位での大気圧またはそれに近い。下記の例のそれぞれは、ここで説明される実施例のうちの１つ以上を実行するために、当業者にとって有益であると考えられる。全ての１Ｈ  ＮＭＲデータは、Ｂｒｕｋｅｒ製の３００または４００ＭＨｚ  ＮＭＲスペクトロメータによって生成された。実施例５ないし１２において、下記の特徴を有する業務用ｍＰＥＧ（２０ｋ  Ｄａ）−アミンが使用された：アミンの置換率、９４．６から１００％；ヒドロキシｍＰＥＧ不純物率、０から４．２％；二量体率（２つの機能化ＰＥＧ種の相互の反応から形成される種類）、０．６から２．１％、三量体率（３つの機能化ＰＥＧ種の相互の反応から形成される種類）、０から０．３％。
【０１３２】
実施例１
置換マレアミド酸終端された水溶性重合体の調製
【０１３３】
【化１７】
0005600240.tif 000015
無水ジクロロメタン（３５０ｍｌ）中のｍＰＥＧ（２０ｋ  Ｄａ）−アミンの溶液（Ｎｅｋｔａｒ  Ｔｈｅｒａｐｅｕｔｉｃｓ、５０．０ｇ、０．００２５モル）に、Ｎ−メトキシカルボニルマレイミド（０．８０ｇ、０．００５１モル）を加え、前記溶液をアルゴン雰囲気下で室温にて１時間攪拌した。Ｎ，Ｎ−ジイソプロピルエチルアミン（１．０ｍｌ）を加え、混合物をアルゴン雰囲気下で室温にて一晩攪拌した。次に反応混合物を２００ｍｌまでのジクロロメタンを蒸留することによって濃縮し、生成物をエチルエーテルで沈殿させた。乾燥後の収量は４６．３ｇであった。ＮＭＲ（ｄ６−ＤＭＳＯ）：３．２４ｐｐｍ（ｓ、ＰＥＧ−ＯＣＨ３）、３．５１ｐｐｍ（ｓ、ＰＥＧ骨格）、３．８６ｐｐｍ（ｓ、ＣＨ３Ｏ−ＮＨ−）、６．２０ｐｐｍ（ｍ、−ＣＨ＝ＣＨ−）、８．４６ｐｐｍ（−ＮＨ）。
【０１３４】
実施例２
ｍＰＥＧ（２０ｋ  Ｄａ）マレイミドの調整
【０１３５】
【化１８】
0005600240.tif 000016
無水アセトニトリル（１００ｍｌ）中の実施例１で調整された前記置換マレアミド酸終端された水溶性重合体（１０．０ｇ）の溶液に、Ｎ，Ｎ−ジイソプロピルエチルアミン（１０ｍｌ）を加え、反応混合物をアルゴン雰囲気下で室温にて４４時間攪拌した。次に前記混合物を８０ｍｌまでのアセトニトリルを蒸留することによって濃縮し、生成物をエチルエーテルで沈殿させて８．５ｇのｍＰＥＧ（２０Ｋ  Ｄａ）マレイミドを生じた。ＮＭＲ（ｄ６−ＤＭＳＯ）：３．２４ｐｐｍ（ｓ、ＰＥＧ−ＯＣＨ３）、３．５１ｐｐｍ（ｓ、ＰＥＧ骨格）、７．０１ｐｐｍ（ｓ、−ＣＨ＝ＣＨ−、マレイミド）；置換９３．５％。
【０１３６】
実施例３
置換マレアミド酸終端された水溶性重合体を調製するための手順
【０１３７】
【化１９】
0005600240.tif 000017
【０１３８】
【化２０】
0005600240.tif 000018
（化学式ＩＩについて）
ポリは水溶性重合体（好ましくは線状または分岐、および好ましくはＣＨ３Ｏ−（ＣＨ２ＣＨ２Ｏ）ｎ−ＣＨ２ＣＨ２−であり、ポリが線状の場合（ｎ）は２から４０００である）であり、
（ｃ）は０または１（好ましくは０）であり、
Ｘ２は存在する場合、スペーサー部分であり、
（化学式ＩＩＩについて）
Ｙ１はＯまたはＳであり、
Ｙ２はＯまたはＳであり、
（ａ）は１から２０の整数であり、
Ｒ１は各例において単独でＨまたは有機基であり、
Ｒ２は各例において単独でＨまたは有機基であり、
Ｒ３は各例において単独でＨまたは有機基であり、
Ｒ４は各例において単独でＨまたは有機基であり、
（化学式Ｉについて）
ポリは水溶性重合体であり、
（ｂ）は０または１であり、
X1は存在する場合、スペーサー部分であり、
Ｙ１はＯまたはＳであり、
Ｙ２はＯまたはＳであり、
（ａ）は１から２０の整数であり、
Ｒ１は各例において単独でＨまたは有機基であり、
Ｒ２は各例において単独でＨまたは有機基であり、
Ｒ３は各例において単独でＨまたは有機基であり、
Ｒ４は各例において単独でＨまたは有機基である。
【０１３９】
前記アミン終端された水溶性重合体（化学式ＩＩ）をジクロロメタン（２０重量／体積％の溶液）中に溶解させ、全てのジクロロメタンが取り除かれるまで４０℃にて減圧下で蒸留する。これは水を伴う共沸混合物を形成し、残った重合体から水を効果的に取り除く。このステップをもう一度繰り返す。所望であれば真空下に置いて固形物にまで完全に乾燥させる（必要ではない）。
【０１４０】
不活性ガス雰囲気下で前記重合体を無水ジクロロメタン（２０重量／体積％の溶液）中で再溶解させる。１．５相当量のマレイミド試薬を加える（化学式ＩＩＩ）。溶解後、０．５相当量のジイソプロピルエチルアミン滴を加える。少なくとも１時間（一晩は結構であるが、閉環マレイミドを形成する場合がある）不活性雰囲気下で室温にて攪拌させる。
【０１４１】
高粘度の油様溶液が生じるまで（分子量に応じて１グラムの水溶性重合体につき約０．５−１．５ｍＬの溶液）、２５−３０℃にて減圧下で溶剤を蒸留する。イソプロピルアルコールを前記攪拌溶液にゆっくりと加える（約２５ｍＬ／ｇの水溶性重合体）。少なくとも３０分間室温にて攪拌させる。前記液体をろ過する。十分なイソプロピルアルコールを再び加えて前記水溶性重合体のスラリーを作り、そして前記液体を再びろ過する。全てのイソプロピルアルコールが取り除かれるまで、真空下で固形物を乾燥させる。
【０１４２】
実施例４
マレイミド終端された水溶性重合体を調製するための手順
【０１４３】
【化２１】
0005600240.tif 000019
ここで（化学式Ｉについて）、
ポリは水溶性重合体であり、
（ｂ）は０または１であり、
X1は存在する場合、スペーサー部分であり、
Ｙ１はＯまたはＳであり、
Ｙ２はＯまたはＳであり、
（ａ）は１から２０の整数であり、
Ｒ１は各例において単独でＨまたは有機基であり、
Ｒ２は各例において単独でＨまたは有機基であり、
Ｒ３は各例において単独でＨまたは有機基であり、
Ｒ４は各例において単独でＨまたは有機基であり、
ここで（化学式Ｖについて）ポリ、Ｘ２および（ｃ）のそれぞれは化学式ＩＩで定められるように定義され、Ｒ３およびＲ４のそれぞれは化学式ＩＩＩで定められるように定義される。
【０１４４】
実施例３からの前記置換マレアミド酸終端された水溶性重合体を、無水ジクロロメタン中で溶解さて１０重量／体積％溶液を作る。無水硫酸ナトリウムを加える（ＰＥＧ１ｇにつき０．５ｇ）。無水炭酸ナトリウムを加える（水溶性重合体１ｇにつき０．５ｇ）。不活性ガス雰囲気下で加熱して還流する（約４０℃）。５時間還流において攪拌する。熱を取り除いて３５℃未満にまで冷却する。固形物をろ過する。高粘度の油様溶液が生じるまで、２５−４０℃にて減圧下で溶剤を蒸留する。実施例３にあるように、イソプロピルアルコールで沈殿させる。
【０１４５】
実施例５
マレイミド終端された水溶性重合体の非水調製
共沸ｍＰＥＧ（２０ｋ  Ｄａ）−アミン、０．０１重量％ブチル化ヒドロキシトルエン（ＢＨＴ）、およびジクロロメタンを４０℃にて混合した。より揮発性のある構成要素の蒸発は、回転蒸発器を使用して行った。含水量を試験し、５６ｐｐｍであることが分かった（１００ｐｐｍ以下が望ましい）。この混合物に、それぞれ１ｇあたり０．５ｇの粉砕炭酸ナトリウムおよび粒状硫酸ナトリウムを加えた。前記粉砕炭酸ナトリウムおよび粒状硫酸ナトリウムの追加後、混合物を攪拌して５℃にまで冷却し、冷たいＰＥＧ溶液を形成した。
【０１４６】
別々に、３相当量（０．５６ｇ）のＮ−メトキシカルボニルマレイミドをジクロロメタン中に溶解し、３％（重量／体積パーセント）溶液を作った。結果として生じた混合物を３０秒間ボルテックスした。前記ボルテックスされた混合物には混濁した外観があった。前記ボルテックスされた混合物を前記冷たいＰＥＧ溶液に加え、５℃または約５℃で２１時間攪拌した。
【０１４７】
攪拌後、前記混合物を４０℃にまで徐々に加熱して４５分以上還流した。その後、サンプルを回収して、Ｈ  ＮＭＲによって反応完了を決定した。
【０１４８】
還流にて８．５時間後、前記混合物を室温にまで冷却し、セリット床を通してろ過し、その後回転蒸発器および３０℃の浴槽を使用してジクロロメタン溶剤を取り除くことによって、油を生成した。生成物は、イソプロピルアルコール（ＩＰＡ）による沈殿によって回収した（３０分間攪拌）。
【０１４９】
本実施例に関連する分析は表１および２に提供され、実施例１３に論じられている。
【０１５０】
実施例６
マレイミド終端された水溶性重合体の非水調製
下記の例外／注釈を伴って実施例５の手順を繰り返した。前記粉砕炭酸ナトリウムおよび粒状硫酸ナトリウムの追加後、混合物を５℃にまで１０時間冷却した。還流を７時間行った（６時間目に６％前駆体を示した）。
【０１５１】
本実施例に関連する分析は表１および２に提供され、実施例１３に論じられている。
【０１５２】
実施例７
マレイミド終端された水溶性重合体の非水調製
下記の例外／注釈を伴って実施例５の手順を繰り返した。前記粉砕炭酸ナトリウムおよび粒状硫酸ナトリウムの追加後、混合物を攪拌し、５．７℃にまで９．５時間冷却した。加熱して還流するのではなく、前記混合物を還流前に室温で４５分間攪拌した。還流を６．５時間行った（５時間目に６％前駆体を示した）。
【０１５３】
本実施例に関連する分析は表１および２に提供され、実施例１３に論じられている。
【０１５４】
実施例８
マレイミド終端された水溶性重合体の非水調製
下記の例外／注釈を伴って実施例５の手順を繰り返した。前記粉砕炭酸ナトリウムおよび粒状硫酸ナトリウムの追加後、混合物を攪拌し、最初は５．７５℃にまで冷却し、そして徐々に５℃まで２時間かけて冷却し、合計１５時間の攪拌を伴った。加熱して還流するのではなく、還流前に室温で１時間前記混合物をかき混ぜた。還流を８時間行った（６時間目に１２％前駆体を示した）。
【０１５５】
本実施例に関連する分析は表１および２に提供され、実施例１３に論じられている。
【０１５６】
実施例９（比較例）
「水溶性Ｎ−アルコキシカルボニルマレイミド経路」
７．６％（重量／体積パーセント）重炭酸ナトリウム溶液中のｍＰＥＧアミン（２０ｋ  Ｄａ）の１７．５％溶液（重量／体積パーセント）を６℃にまで冷却した。アセトニトリル中のＮ−メトキシカルボニルマレイミド（３相当量、５．３％）の１０％溶液（重量／体積パーセント）を加え、混合物を１５分間攪拌した。十分な蒸留水を前記溶液に加えて量を２倍にした。前記溶液をまず冷却し、そして４５分かけて１３℃にまで暖めさせた。
【０１５７】
前記溶液のｐＨをリン酸で３．０に調整し、そして十分な塩化ナトリウムを加えて１５％塩化ナトリウム（重量／体積パーセント）の食塩水を提供した。前記食塩水を１５分間攪拌し、そして同等量のジクロロメタンで抽出することによって、ジクロロメタン溶液を提供した。
【０１５８】
前記ジクロロメタン溶液を硫酸ナトリウムで（３．５ｇ／１００ｍＬ）で乾燥させ、蒸発させて結果として油を生じた。イソプロピルアルコール（１７．５ｍＬ／ｇ）による沈殿、ろ過、および乾燥により白い固形物を生じた。
【０１５９】
本実施例に関連する分析は表１および２に提供され、実施例１３に論じられている。
【０１６０】
実施例１０（比較例）
「水溶性Ｎ−アルコキシカルボニルマレイミド経路」
７．６％（重量／体積パーセント）重炭酸ナトリウム溶液中のｍＰＥＧアミン（２０ｋ  Ｄａ）の１７．５％溶液（重量／体積パーセント）を３．８から５．９℃にまで冷却した。一晩での室温への温度逸脱が、冷却装置の問題によって発生した。アセトニトリル中のＮ−メトキシカルボニルマレイミド（３相当量、４．４％）の１０％溶液（重量／体積パーセント）を加え、混合物を１５分間攪拌した。十分な蒸留水を前記溶液に加えて量を２倍にした。前記溶液をまず冷却し、そして４５分かけて１３℃にまで暖めさせた。
【０１６１】
前記溶液のｐＨをリン酸で３．０に調整し、そして十分な塩化ナトリウムを加えて１５％塩化ナトリウム（重量／体積パーセント）の食塩水を提供した。前記食塩水を１５分間攪拌し、そして同等量のジクロロメタンで抽出することによって、ジクロロメタン溶液を提供した。
【０１６２】
前記ジクロロメタン溶液を硫酸ナトリウムで（３．５ｇ／１００ｍＬ）で乾燥させ、蒸発させて結果として油を生じた。イソプロピルアルコール（１７．５ｍＬ／ｇ）による沈殿、ろ過、および乾燥によって白い固形物を生じた。
【０１６３】
本実施例に関連する分析は表１および２に提供され、実施例１３に論じられている。
【０１６４】
実施例１１（比較例）
「水溶性Ｎ−アルコキシカルボニルマレイミド経路」
７．６％（重量／体積パーセント）重炭酸ナトリウム溶液中のｍＰＥＧアミン（２０ｋ  Ｄａ）の１７．５％溶液（重量／体積パーセント）を４℃にまで冷却した。アセトニトリル中のＮ−メトキシカルボニルマレイミド（３相当量、５．４％）の１０％溶液（重量／体積パーセント）を加え、混合物を１５分間攪拌した。十分な蒸留水を前記溶液に加えて量を２倍にした。前記溶液をまず冷却し、そして４５分かけて８から９℃にまで暖めさせた。
【０１６５】
前記溶液のｐＨをリン酸で３．０に調整し、そして十分な塩化ナトリウムを加えて１５％塩化ナトリウム（重量／体積パーセント）の食塩水を提供した。前記食塩水を１５分間攪拌し、そして同等量のジクロロメタンで抽出することによって、ジクロロメタン溶液を提供した。
【０１６６】
前記ジクロロメタン溶液を硫酸ナトリウムで（３．５ｇ／１００ｍＬ）で乾燥させ、蒸発させて結果として油を生じた。イソプロピルアルコール（１７．５ｍＬ／ｇ）による沈殿、ろ過、および乾燥により白い固形物を生じた。
【０１６７】
本実施例に関連する分析は表１および２に提供され、実施例１３に論じられている。
【０１６８】
実施例１２（比較例）
「水溶性Ｎ−アルコキシカルボニルマレイミド経路」
７．６％（重量／体積パーセント）重炭酸ナトリウム中のｍＰＥＧアミン（２０ｋ  Ｄａ）の１７．５％溶液（重量／体積パーセント）を６℃にまで冷却した。アセトニトリル中のＮ−メトキシカルボニルマレイミド（３相当量、５．３％）の１０％溶液（重量／体積パーセント）を加え、混合物を１５分間攪拌した。十分な蒸留水を前記溶液に加えて量を２倍にした。前記溶液をまず冷却し、そして４５分かけて１３℃にまで暖めさせた。
【０１６９】
前記溶液のｐＨをリン酸で３．０に調整し、そして十分な塩化ナトリウムを加えて１５％塩化ナトリウム（重量／体積パーセント）の食塩水を提供した。前記食塩水を１５分間攪拌し、そして同等量のジクロロメタンで抽出することによって、ジクロロメタン溶液を提供した。
【０１７０】
前記ジクロロメタン溶液を硫酸ナトリウムで（３．５ｇ／１００ｍＬ）で乾燥させ、蒸発させて結果として油を生じた。イソプロピルアルコール（１７．５ｍＬ／ｇ）による沈殿、ろ過、および乾燥により白い固形物を生じた。
【０１７１】
本実施例に関連する分析は表１および２に提供され、実施例１３に論じられている。
【０１７２】
実施例１３
実施例５から１２より得られた生成物を、ＨＰＬＣ、ＧＦＣおよび１Ｈ  ＮＭＲを使用して分析した。ＲＩ検出物（カルボン酸機能化チオール種で誘導体化される生成物であり、置換は誘導体化および非誘導体化範囲の比較によって決定される）の使用とともに１０ｍＭ  ＨＥＰＥＳの移動相、１．０ｍＬ／分の流速、および２５℃の温度でＳｈｏｄｅｘタンパク質ＫＷ−８０３  ＧＦＣカラムを使用したＡｇｉｌｅｎｔ  １１００  ＨＰＬＣシステム（Ａｇｉｌｅｎｔ）を使用して、高速液体クロマトグラフィー（ＨＰＬＣ）を行った。ＲＩ検出物の使用とともに１ｘリン酸緩衝生理食塩水の移動相、１．０ｍＬ／分の流速および２５℃の温度でＳｈｏｄｅｘタンパク質ＫＷ−８０３  ＧＦＣカラムを使用して、ＧＦＣ(ゲルろ過クロマトグラフィー)を行った。結果は表１および２に提供されている。表１について、「ジマレイミジル種の割合」は、所望のマレイミド生成物とおよそ同じ分子量であるが、２つのマレイミジル末端を有する重合体を参照し、表２について、「ＭＡＬの二量体の割合」は２つの機能化ＰＥＧ種の相互の反応から形成される種を参照し、ＭＡＬの三量体の割合は３つの機能化ＰＥＧ種の相互の反応から形成される種を参照し、「三量体より高い分子量の割合」は４つ以上の機能化ＰＥＧ種の相互の反応から形成される種を参照する。
【０１７３】
【化２２】
0005600240.tif 000020
【０１７４】
【化２３】
0005600240.tif 000021
【０１７５】
【化２４】
0005600240.tif 000022
【０１７６】
【化２５】
0005600240.tif 000023
表１より、実施例５ないし８で採用された一般的方法は、結果として比較実施例９ないし１２で従った水性基盤の方法に従って生成された組成よりも大きいマレイミド置換を有する組成を生じたことが明らかである。しばしば、実施例５ないし８で採用された一般的方法は、８６パーセント以上のマレイミド置換を提供した。また、表１は実施例５ないし８で採用された一般的方法は、結果として４パーセント未満、およびさらには２パーセント未満のマレアミド酸（「ｍＰＥＧ−マレアミド酸」）を有する一定の割合の重合体を有する組成を生じ、それは比較実施例９ないし１２で従った水性基盤の方法で達成できたものよりも良いことを実証する。
【０１７７】
表２より、ガスろ過クロマトグラフィーを通して分析されたより高い分子量種（マレイミドの二量体の割合、マレイミドの三量体の割合、およびその他の高分子量種）を例外として、Ｍ−ＭＡＬ  ２０ｋ前駆体および開環エステル不純物の割合などのパラメータは、試験された実施例間でかなり一貫していると思われる。
【０１７８】
最後に、表１および２より、実施例５ないし８で採用された一般的方法は、比較実施例で採用された一般的方法と比較すると、一貫性のある良好な収量を提供したことが明らかである。